(57)【特許請求の範囲】
【請求項１】
第１の無線タイプに従って無線接続を提供するように構成された第１の無線アクセスネットワークノードと、
第２の無線タイプに従って無線接続を提供するように構成された第２の無線アクセスネットワークノードと、
無線アクセスネットワーク内に位置しており、コアネットワークから複数のデータユニットを受信するように構成された受信機であって、各データユニットが選択インジケータでマーキングされている、受信機と、
前記無線アクセスネットワーク内に位置しており、前記選択インジケータ及び記憶された１つ又は複数の選択規則の組を用いて、前記複数のデータユニットのうちのデータユニットごとに、前記データユニットを送信するために前記無線タイプのうちの１つ又は複数を選択するように構成された選択回路であって、各選択規則が、少なくとも選択インジケータに基づいて１つ又は複数の無線タイプを選択するための規則を含む、選択回路と、
を備える、無線アクセスネットワークノード装置。
【請求項２】
前記選択された無線タイプに従って前記データユニットを送信するように構成された送信機をさらに備える、請求項１に記載の無線アクセスネットワークノード装置。
【請求項３】
メモリをさらに備え、
前記受信機が、前記規則の組の少なくとも一部分を受信するようにさらに構成され、
前記メモリが、前記規則の組の少なくとも一部分を前記メモリに記憶するようにさらに構成される、請求項１又は２に記載の無線アクセスネットワークノード装置。
【請求項４】
前記送信機が、前記規則の組の少なくとも一部分を無線通信デバイスに送信するようにさらに構成される、請求項２又は３に記載の無線アクセスネットワークノード装置。
【請求項５】
前記第１の無線アクセスネットワークノード及び／又は前記第２の無線アクセスネットワークノードが、前記規則を、アクセス層シグナリングにおいて搬送することができるフォーマットに変換し、変換された規則を、アクセス層シグナリングにて送信するように構成される、請求項２〜４のいずれか一項に記載の無線アクセスネットワークノード装置。
【請求項６】
前記第１の無線アクセスネットワークノード及び／又は前記第２の無線アクセスネットワークノードが、前記規則を透過的に（transparently）通し、前記規則を、非アクセス層シグナリングにて送信するようにさらに構成される、請求項２〜４のいずれか一項に記載の無線アクセスネットワークノード装置。
【請求項７】
前記第１の無線アクセスネットワークノードが、ＬＴＥ（Long  Term  Evolution）に従って無線通信を提供するように構成され、及び／又は、
前記第２の無線アクセスネットワークノードが、５Ｇ  Ｎｅｗ  Ｒａｄｉｏに従って無線通信を提供するように構成される、請求項１〜６のいずれか一項に記載の無線アクセスネットワークノード装置。
【請求項８】
前記規則の組が、
１つ又は複数の許可された無線アクセスタイプ、
１つ又は複数の好ましい無線アクセスタイプ、及び、
１つ又は複数の拒否された無線アクセスタイプ、
から成る要素群の少なくとも１つの要素を含む、請求項１〜７のいずれか一項に記載の無線アクセスネットワークノード装置。
【請求項９】
共通通信フローの前記データユニットが同じ選択インジケータを含む、請求項１〜８のいずれか一項に記載の無線アクセスネットワークノード装置。
【請求項１０】
第１の無線タイプに従って構成された第１の送受信機及び第２の無線タイプに従って構成された第２の送受信機であって、前記第１の送受信機及び／又は前記第２の送受信機が、無線アクセスネットワークノード装置から１つ又は複数の第１のデータユニットを受信するように構成され、各第１のデータユニットが選択インジケータを含む、第１の送受信機及び第２の送受信機と、
１つ又は複数の第２のデータユニットを生成するように構成されたデータユニット生成器であって、前記１つ又は複数の第１のデータユニット及び前記１つ又は複数の第２のデータユニットは同じ通信フローに属する、データユニット生成器と、
前記選択インジケータ及び記憶された１つ又は複数の選択規則の組を用いて、前記１つ又は複数の第２のデータユニットのうちの第２のデータユニットごとに、前記１つ又は複数の第２のデータユニットを前記無線アクセスネットワークノード装置に送信するための無線タイプを選択するように構成された選択回路であって、各選択規則が、少なくとも選択インジケータに基づいて１つ又は複数の無線タイプを選択するための規則を含む、選択回路と、
を備え、
前記第１の送受信機及び／又は前記第２の送受信機が、前記無線アクセスネットワークノード装置から前記記憶された１つ又は複数の選択規則の組の少なくとも一部分を受信するようにさらに構成される、無線通信デバイス。
【請求項１１】
無線アクセスネットワークノード装置において複数のデータユニットを処理する方法であって、
コアネットワークから複数のデータユニットを受信するステップであって、各データユニットは選択インジケータでマーキングされている、受信するステップと、
前記選択インジケータ及び記憶された１つ又は複数の選択規則の組を用いて、前記複数のデータユニットのうちのデータユニットごとに、複数の無線タイプから、前記データユニットを送信するための１つ又は複数の無線タイプを選択するステップであって、各選択規則は、少なくとも選択インジケータに基づいて１つ又は複数の無線タイプを選択するための規則を含む、選択するステップと、
を含む、方法。
【請求項１２】
前記コアネットワークから前記規則の組の少なくとも一部分を受信するステップをさらに含む、請求項１１に記載の方法。
【請求項１３】
前記選択規則を、アクセス層シグナリングにおいて搬送することができるフォーマットに変換し、変換された選択規則を、アクセス層シグナリングにて送信するステップ、又は、
前記選択規則を透過的に（transparently）通し、前記選択規則を、非アクセス層シグナリングにて送信するステップ、
をさらに含む、請求項１１又は１２に記載の方法。
【請求項１４】
前記複数の無線タイプのうちの第１の無線タイプが、ＬＴＥ（Long  Term  Evolution）に従う無線通信を含み、及び／又は、
前記複数の無線タイプのうちの第２の無線タイプが、５Ｇ  Ｎｅｗ  Ｒａｄｉｏに従う無線通信を含む、請求項１１〜１３のいずれか一項に記載の方法。
【請求項１５】
データユニットを処理する方法であって、
第１の無線タイプ及び／又は第２の無線タイプに従って無線アクセスネットワークノード装置から１つ又は複数の第１のデータユニットを受信するステップであって、各第１のデータユニットは選択インジケータを含む、受信するステップと、
１つ又は複数の第２のデータユニットを生成するステップであって、前記１つ又は複数の第１のデータユニット及び前記１つ又は複数の第２のデータユニットが同じ通信フローに属する、生成するステップと、
前記選択インジケータ及び記憶された１つ又は複数の選択規則の組を用いて、前記１つ又は複数の第２のデータユニットのうちの第２のデータユニットごとに、前記１つ又は複数の第２のデータユニットを前記無線アクセスネットワークノード装置に送信するための無線タイプを選択するステップであって、各選択規則が、少なくとも選択インジケータに基づいて１つ又は複数の無線タイプを選択するための規則を含む、選択するステップと、
を含み、
前記方法は、前記無線アクセスネットワークノード装置から、前記記憶された１つ又は複数の選択規則の組の少なくとも一部分を受信するステップをさらに含む、方法。
【発明の詳細な説明】
【関連出願の相互参照】
【０００１】
[0001]本出願は、２０１６年８月２２日に出願され、参照によりその全体が本明細書に援用される、欧州特許出願公開第１６１８５１７８．７号の優先権を主張する。
【技術分野】
【０００２】
[0002]様々な実施形態は、無線アクセスネットワークノード装置、無線通信デバイス、及び複数のデータユニットを処理する方法に関する。
【背景】
【０００３】
[0003]５Ｇ（Fifth  Generation）（第５世代）ネットワークのための規格が、３ＧＰＰ（Third  Generation  Partnership  Project）（第３世代パートナーシッププロジェクト）において現在進行中である。３ＧＰＰ  ＲＡＮ２（Radio  Access  Network  2）（無線アクセスネットワーク２）グループにおいて行われた１つの合意は、コアネットワークから無線アクセスネットワーク（radio  access  network）（ＲＡＮ）に向けて単一制御プレーンインタフェースのみが用いられるようにして、５Ｇ  Ｎｅｗ  Ｒａｄｉｏ（５Ｇ  ＮＲ）とLTE  evolution（ｅＬＴＥ）無線をどのように相互接続できるかの基礎として、ＴＳ３６．３００、Ｒｅｌ−１２（例えば、バージョン１２．１０．０）において指定されているようないわゆる二重接続（Dual  Connectivity）が用いられるということである。
【０００４】
[0004]二重接続における１つのオプションは、いわゆる分割ベアラ（split  bearers）（ＴＳ３６．３００（例えば、バージョン１２．１０．０））が、ＵＥ（User  Equipment）（ユーザ機器）のために５Ｇ  ＮＲ及びｅＬＴＥからの無線リソースを同時に利用することができ、それによって、コアネットワークが、ＲＡＮに向かう１つのユーザプレーン通信接続のみを認識する（コアネットワークからのベアラが複数の無線ベアラに分割される）というものである。このオプションでは、５Ｇ  ＮＲ無線及びｅＬＴＥ無線は、マスタｅＮＢ（Master  eNB）（ＭｅＮＢ）及びセカンダリｅＮＢ（Secondary  eNB）（ＳｅＮＢ）と呼ばれる、２つの別個の無線基地局（ｅＮｏｄｅＢ、ｅＮＢ）によってサービングされる（served）。ＭｅＮＢの役割は、ネットワーク展開及びオペレータの選択に応じて、ｅＬＴＥ又は５Ｇ  ＮＲ技術によって実行することができる。
【０００５】
[0005]分割ベアラの場合、コアネットワークはＲＡＮへの単一ユーザプレーン通信のみを認識するため、すなわち、コアネットワークの観点からは単一ユーザプレーンベアラのみが存在するため、コアネットワークは、使用される通信サービスをベアラレベルでのみＲＡＮに示すことができる。この指標は通常、ＴＳ２３．４０１において指定されているように、ベアラセットアップ時にＱＣＩパラメータ（ＱｏＳクラス識別子）において搬送される。ＱＣＩ値はＴＳ２３．２０３において指定されている。これは、別個のＱＣＩ値を用いる別々のコアネットワークベアラにおいて各通信サービスが搬送される場合に、使用される通信サービスを区別するのに十分なメカニズムである。これは、例えば、Voice  over  Long  Term  Evolution（ＶｏＬＴＥ）（従来から、ＱＣＩ値１、２及び５が用いられている）及びベストエフォートインターネット通信サービス（従来から、ＱＣＩ値８又は９が用いられている）に適用される。
【０００６】
[0006]３ＧＰＰにおける５Ｇ規格化のために進行中の別の研究項目は、ＴＲ２３．７９９セクション６．２．２に記載されている、いわゆるインターネットプロトコル（ＩＰ）フローベースのサービス品質（ＱｏＳ）フレームワーク（Internet  Protocol  flow  based  Quality  of  Service  framework）である。これは、１つの単一の発展型パケットコア（Evolved  Packet  Core）（ＥＰＣ）ベアラ内のＩＰフローの優先度レベルを示すのに従来から用いられている、フロー優先度インジケータ（Flow  Priority  Indicator）（ＦＰＩ）を導入する。このフレームワークにおける構想は、ＥＰＣベアラにおけるＩＰフローによって搬送される通信サービスごとに異なる優先度レベルを割り当てる能力である。
【０００７】
[0007]分割ベアラのための従来のＲＡＴ選択において、コアネットワークからＲＡＮへのユーザプレーン接続は、常にＭｅＮＢを用いて行われる。ＭｅＮＢは、コアネットワークからダウンリンクデータパケットを受信するとき（ＥＣＰ構成において、このデータパケットは通例、サービングゲートウェイ、すなわちＳＧＷから受信される）、ダウンリンクデータパケットを搬送するためにＵＥに向けて用いられる無線アクセス技術（radio  access  technology）（ＲＡＴ）を選択する必要がある。より厳密には、ダウンリンク通信方向において、ＲＡＴ選択は、パケットデータ収束プロトコル（Packet  Data  Convergence  Protocol）（ＰＤＣＰ）層が上位層、すなわちＭｅＮＢにおけるＲＲＣ層から受信する規則に基づいて、ＰＣＤＰパケットデータユニット（Packet  Data  Unit）（ＰＤＵ）ごとにＭｅＮＢにおいてＰＤＣＰ層で行われる。アップリンク通信方向において、ＲＲＣシグナリングを介してＵＥがＭｅＮＢから受信する規則に基づいて、ＲＡＴ選択がＵＥにおいて行われる。ＰＤＣＰ動作は、ＴＳ３６．３２３に記載されている。
【０００８】
[0008]現行のＲＡＴ選択規則は、ＴＳ３６．３２３におけるセクション４．２．２に記載されているような２つの変数ul-DataSplitThreshold及びul-DataSplitDRB-ViaSCGの使用に基づく。これらの変数を用いて、ＰＤＵの送信を、ＳｅＮＢを介した無線ベアラ若しくはＭｅＮＢを介した無線ベアラのいずれかにより強制するか、又は送信のために利用可能なバッファ内のデータが閾値を超えている場合、ＰＤＵごとに無線のいずれかを選択することが可能である。
【０００９】
[0009]さらに、ＱＣＩ（QoS  Class  Indicator）（ＱｏＳクラスインジケータ）パラメータは、従来から、ＴＳ２３．４０１において指定されているようなベアラセットアップ時のコアネットワークからＲＡＮへのベアラセットアップ要求において搬送され、ここでＱＣＩ値はＴＳ２３．２０３において指定される。これは、各通信サービスが、別個のＱＣＩ値を使用する別々のコアネットワークにおいて実行される場合に、使用される通信サービスを区別するのに十分なメカニズムである。これは、例えば、ＶｏＬＴＥ（ＱＣＩ値１、２及び５が用いられる）及びベストエフォートインターネット通信サービス（ＱＣＩ値８又は９が用いられる）に適用される。
【００１０】
[0010]ＳＡ２会合１１６に提出された文書Ｓ２−１６３６９８は、既存のＲＡＴがＵＥのＱｏＳ要件を満たすのに十分でないとき、ＵＥを異なるＲＡＴに「向ける（direct）」ことができることを提案する。これをどのように実施することができるかの詳細は記載されていない。さらに、提案は、ＵＥが一度に単一のＲＡＴを介して接続されることを仮定する。
【００１１】
[0011]Ｓ２−１６３５７２は、同様にＳＡ２会合１１６においてなされた、上記の提案と同様の提案である。Ｓ２−１６３５７２は、コアネットワークが、選択されたネットワークスライスに基づいて、ＵＥを異なるＲＡＴに「向ける」ことができることを提案する。ここで、ネットワークスライスは、サービスＱｏＳ要件に基づいて選択されたものである。同様の方式で、提案は、ＵＥが一度に単一のＲＡＴを介して接続されることを仮定する。
【００１２】
[0012]可能な未来のＩＰフローベースのＱｏＳフレームワークがＴＲ２３．７９９のセクション６．２．２に記載されている。これによって、１つの単一ＥＰＣベアラ内のＩＰフローの優先レベルを示すフロー優先度インジケータ（Flow  Priority  Indicator）（ＦＰＩ）が導入される。このフレームワークにおける主要な構想は、ＥＰＣベアラにおけるＩＰフローによって搬送される通信サービスごとに異なる優先度レベルを割り当てる能力である。ＲＡＮはこの際、ダウンリンクスケジューリングの優先順位付けにおいてＦＰＩを考慮に入れるべきである。アップリンク通信方向における動作のために、いわゆる反映型ＱｏＳ（Reflective  QoS）が定義される。ここで、ＲＡＮは、ユーザプレーン（例えば、ＰＣＤＰ層）における無線レベルヘッダを介してＵＥにＦＰＩを示し、次にＵＥは、ダウンリンクＩＰフロー（ソース／宛先ＩＰ、ソース／宛先ポート、及びプロトコル識別子の５つ組によって識別される）及び対応するＦＰＩのバインドテーブルを作成する。ＵＥがアップリンクデータを送信しようとするとき、ＵＥはアップリンクデータパケットのＩＰフローを求めてバインドテーブルを探索し、対応するＦＰＩを優先順位付けのために用いる。結果として、アップリンク通信方向におけるＩＰフローの優先度は、ダウンリンク通信方向における同じＩＰフローの優先度を「反映する（reflects）」。
【発明の概要】
【００１３】
[0013]様々な実施形態において、無線アクセスネットワークノード装置が提供される。無線アクセスネットワークノード装置は、第１の無線タイプに従って無線接続を提供するように構成された第１の無線アクセスネットワークノードと、第２の無線タイプに従って無線接続を提供するように構成された第２の無線アクセスネットワークノードと、コアネットワークから複数のデータユニットを受信するように構成された受信機とを備えることができる。各データユニットは選択インジケータを含む。無線アクセスネットワークノード装置は、選択インジケータ及び記憶された１つ又は複数の選択規則の組を用いて、複数のデータユニットのうちのデータユニットごとに、データユニットを送信するために無線タイプのうちの１つ又は複数を選択するように構成された選択回路をさらに備えることができる。各選択規則は、少なくとも選択インジケータに基づいて１つ又は複数の無線タイプを選択するための規則を含む。
【００１４】
[0014]これに関連して、無線アクセスネットワークノードは基地局と呼ぶこともでき、ＮｏｄｅＢ、ｅＮｏｄｅＢ、５Ｇ  Ｎｅｗ  Ｒａｄｉｏ基地局等のようなそれぞれの無線通信技術に依拠して実施することができる。
【００１５】
[0015]第１の無線アクセスネットワークノード及び第２の無線アクセスネットワークノードは、１つの共通デバイスにおいて（例えば、１つの共通基地局において）又は別々のデバイスにおいて実施することができることに留意されたい。
【００１６】
[0016]さらに、回路は、実施要件に依拠して、１つの単一回路若しくはプロセッサにおいて、又は複数の回路において実施することができる。
【００１７】
[0017]それぞれの無線タイプは、例えば、無線アクセス技術（ＲＡＴ）、例えば、それぞれの無線通信技術に依拠したＲＡＴ、すなわち、ＵＭＴＳ−ＲＡＴ、ＬＴＥ−ＲＡＴ、ＬＴＥ−Ａ−ＲＡＴ、ｅＬＴＥ−ＲＡＴ、５Ｇ  ＮＲ  ＲＡＴ等を含むことができる。無線タイプは、例えばエアインタフェースを介して物理層シグナリング及びデータ送信を定義する。それぞれの無線タイプは、例えば、特定のマクロ基地局又はフェムト基地局、及び類似の構成をさらに含むことができる（換言すれば、本出願に関連して、異なる無線タイプとは、２つ以上のＲＡＴが同じ無線アクセス技術のものであるが、例えば、カバレッジ又は周波数の観点で異なる構成を有し、異なる伝播特性／カバレッジエリアをもたらすシナリオも含むことができる。このため、第１のタイプ及び第２の無線タイプは、異なる構成の同じ無線アクセス技術（ＲＡＴ）のものであってもよく、又は異なるＲＡＴのものであってもよい。
【００１８】
[0018]データユニットは、複数のビット（データビット及び制御ビット）を含むデータパケット、例えば、トランスポート制御プロトコル（Transport  Control  Protocol）（ＴＣＰ）データパケット、ユニバーサルデータプロトコル（Universal  Data  Protocol）（ＵＤＰ）、インターネットプロトコル（Internet  Protocol）（ＩＰ）データパケット若しくはＭＱテレメトリトランスポート（MQ  Telemetry  Transport）（ＭＱＴＴ）データパケット、又は任意の他の所望の通信プロトコルに従う任意の他の適切なデータパケットを含むことができるか、又はこれらのデータパケットとすることができる。これらのデータパケットは、予め記憶された規則の組に従う無線タイプの選択を可能にするために、基地局によって選択インジケータを決定することができるように、基地局によって例えば解析（例えば解凍）することができる。
【００１９】
[0019]例示的に、様々な実施形態において、例えばコアネットワークから到来するダウンリンク方向において送信されるそれぞれのデータパケットに割り当てられ、含まれる選択インジケータに基づいて、例えば基地局によって、例えば二重接続モードにおいて、無線タイプ、例えば無線アクセス技術が選択される。これによって、例えば、複数の２つ、３つ、４つ又はさらにはそれを超える、提供される可能性がある異なる無線タイプ、例えば異なる無線アクセス技術からのエアインタフェースを介するそれぞれのデータパケットの送信に用いられる無線タイプの通信フロー固有の選択が可能になる。このため、データパケットの特定の送信要件のための、例えば、共通ＩＰフロー等の共通通信フローの複数のデータパケットのための、無線タイプの最適化された選択を可能にすることができる。ＩＰフローは、ソースＩＰアドレス／宛先ＩＰアドレス、ソースポート／宛先ポート並びにプロトコル識別子の５つ組によって一意に識別することができる）。
【００２０】
[0020]様々な実施形態は、複数の通信サービスが単一のコアネットワークベアラにおいて搬送されるシナリオにおいて、最も適切な無線タイプ、例えば、無線アクセス技術を選択するとき、通信サービス（複数可）の特性を考慮に入れることができる。
【００２１】
[0021]例として、「通常の（normal）」インターネットトラフィックが、厳しいレイテンシ要件を有するトラフィックとコアネットワークベアラを共有する場合を検討する。様々な実施形態は、低いレイテンシ要件を有する送信サービスをステアリングして（ｓｔｅｅｒ）、より低いレイテンシを達成する無線アクセス技術にし、これによって良好なユーザエクスペリエンスを改善することを可能にすることができる。
【００２２】
[0022]無線アクセスネットワークノード装置は、選択された無線タイプに従ってデータユニットを送信するように構成された送信機をさらに備えることができる。送信機は、ダウンリンク通信方向（すなわち、基地局から通信端末デバイスへの送信方向）においてデータユニットを送信するように構成することができる。
【００２３】
[0023]無線アクセスネットワークノード装置は、１つ又は複数の選択規則の組を記憶するように構成されたメモリをさらに備えることができる。換言すれば、無線アクセスネットワークノード装置は、１つ又は複数の選択規則の組を事前に記憶することができる不揮発性メモリを備えることができる。
【００２４】
[0024]可能な規則は以下のとおり示すことができる。
「下位層からの要求時にＰＤＣＰ  ＰＤＵを下位層に提出する際、送信ＰＤＣＰエンティティは：
ul-DataSplitThresholdが構成されており、送信に利用可能なデータがul-DataSplitThreshold以上である場合：
ｉ．ＰＤＣＰ  ＰＤＵを、ＳＣＧのために構成された関連ＡＭ  ＲＬＣエンティティ又はＭＣＧのために構成された関連ＡＭ  ＲＬＣエンティティに提出する；
そうでない場合：
ｉｉ．ul-DataSplitDRB-ViaSCGが上位層［３］によってＴＲＵＥに設定されている場合：
ｉｉｉ．ＰＤＣＰ  ＰＤＵを、ＳＣＧのために構成された関連ＡＭ  ＲＬＣエンティティに提出する：
ｉｖ．そうでない場合：
ｖ．ＰＤＣＰ  ＰＤＵを、ＭＣＧのために構成された関連ＡＭ  ＲＬＣエンティティに提出する」。
【００２５】
[0025]様々な実施形態において、ＲＡＴ選択規則は、特定のＩＰフローのために、パラメータul-DataSplitThreshold及びul-DataSplitDRB-ViaSCGを含むか、又はこれらのパラメータから成ることができる。
【００２６】
[0026]任意の所望の選択規則を定式化し、選択規則の組において実施することができることに留意されたい。
【００２７】
[0027]さらに、無線アクセスネットワークノード装置は、信号の変調及び復調を行うように構成されたベースバンドモデム（以下において、ベースバンドユニットとも呼ばれる）をさらに備えることができる。ベースバンドモデムは選択回路を備えることができる。例示的に、（事前に記憶された）選択規則に基づいたそれぞれの無線タイプの選択方法は、無線アクセスネットワークノード装置のベースバンドモデムにおいて実施することができる。
【００２８】
[0028]様々な実施形態において、受信機は、規則の組の少なくとも一部分を受信するようにさらに構成される。メモリは、この規則の組の少なくとも一部分をメモリに記憶するようにさらに構成することができる。換言すれば、規則の組又は規則の組の一部分は、コアネットワークから無線アクセスネットワークノード装置に送信することができる。
【００２９】
[0029]送信機は、規則の組の少なくとも一部分を無線通信デバイスに送信するようにさらに構成することができる。
【００３０】
[0030]送信機は、規則を、受信したフォーマットから、アクセス層シグナリングにおいて搬送することができるフォーマットに変換し、フォーマット変換された規則を、アクセス層シグナリングによって送信するようにさらに構成することができる。
【００３１】
[0031]代替として、送信機は、規則を透過的に（transparently）通し、フォーマットが変更されていない規則を、非アクセス層シグナリングを用いて送信するようにさらに構成することができる。
【００３２】
[0032]第１の無線アクセスネットワークノードは、Long  Term  Evolution（ＬＴＥ）、例えば、LTE  Advanced（ＬＴＥ−Ａ）、例えば、ｅＬＴＥに従って無線通信を提供するように構成することができる。
【００３３】
[0033]第２の無線アクセスネットワークノードは、５Ｇ  Ｎｅｗ  Ｒａｄｉｏに従って、一般的には５Ｇによる任意の無線アクセス技術に従って無線通信を提供するように構成することができる。
【００３４】
[0034]規則の組は、
１つ又は複数の許可された無線アクセスタイプ、
１つ又は複数の好ましい無線アクセスタイプ、及び
１つ又は複数の拒否された無線アクセスタイプ、
から成る要素群の少なくとも１つの要素を含む。
【００３５】
[0035]様々な実施形態において、無線アクセスネットワークノード装置は、コアネットワークに対する（１つの共通の、換言すれば１つの単一の）論理接続を提供するように構成することができる。論理接続は、無線通信端末デバイスに対する、複数の無線接続、すなわち、第１の無線タイプに従う第１の無線接続、及び第２の無線タイプに従う第２の無線接続を含むことができる。
【００３６】
[0036]同じ通信サービスのデータユニット（例えば、データパケット）は、同じ選択インジケータ（例えば、同じ値の選択インジケータ）を含むことができる。このため、同じ規則を、同じ通信サービスのデータユニットに適用することができ、これは、同じ通信サービスの全てのデータユニットについて、同じ無線タイプ（例えば、同じ無線アクセス技術）の選択を確実にすることができる。
【００３７】
[0037]本出願に関連して、通信サービスとは、例えば通信サーバによって提供される任意のサービスとして理解される。例として、通信サービスはアプリケーションプログラムを含むことができる。通信サービスは、（ＩＰ）パケットフローと呼ばれる場合もある、１つ又は複数のＩＰフロー（例えば、１対のＩＰアドレスによって識別される）等の１つ又は複数の通信フローを含むことができるか又はこれらの通信フローとすることができ、各通信フローは、通信フローの適切な提供のための１つ又は複数の特定の要件を含む。通信サービスの例示的な実施例は、インターネットブラウザセッションにおいて見ることができる。アプリケーションプログラムは複数の通信フローを含むことができることに留意されたい。本出願に関連して、通信サービスとは、ユーザ機器に対し、又はユーザ機器から、通信フロー、例えばＩＰフローを生成する任意のサービスとしてさらに理解することができる。この通信フロー、例えばＩＰフローにおけるパケットは、同様の性能要件を有し、ユーザ機器におけるアプリケーションによって消費又は生成される。単一のユーザ機器は、様々な要件を並列に用いて複数のそのような通信サービスを実行するであろうこと、及びさらに、単一の通信サービスは、例えば、少なくともシグナリングフロー及びデジタル化された音声情報を搬送するデータパケットの送信のための別のフローを用いるボイスオーバーＩＰのような、異なる要件を有する複数の異なる通信フロー、例えばＩＰフローを生成し得ることに留意されたい。
【００３８】
[0038]通信サービスは、
音声通信サービス、
ビデオ通信サービス、
テキスト通信サービス、及び
マルチメディア通信サービス、及び
機械通信サービス、
から成る通信サービスの群から選択することができる。
【００３９】
[0039]様々な実施形態において、共通通信フローのデータユニットは同じ選択インジケータを含む。通信フローは、エンドツーエンド通信フロー、例えばインターネットプロトコル（ＩＰ）通信フローとすることができる。この場合、共通インターネットプロトコル通信フローのデータユニットは、インターネットプロトコル（ＩＰ）データパケットとすることができる。
【００４０】
[0040]選択回路は、パケットデータ収束プロトコル（Packet  Data  Convergence  Protocol）（ＰＤＣＰ）回路において実施することができる。
【００４１】
[0041]第１の無線アクセスネットワークノード及び第２の無線アクセスネットワークノードは、１つ又は複数の個々の無線ベアラを提供するように構成することができる。換言すれば、無線アクセスネットワークノード装置は、例えば、ＴＳ３６．３００（例えば、ＴＳ３６．３００バージョン１２．１０．０）、Ｒｅｌ−１２に従って、二重接続無線アクセスネットワークノード装置として構成することができる。このため、第１の無線アクセスネットワークノード及び第２の無線アクセスネットワークノードは、１つ又は複数の分割無線ベアラを提供するように構成することができる。
【００４２】
[0042]様々な実施形態において、無線通信デバイスが提供される。無線通信デバイスは、第１の無線タイプに従って構成された第１の送受信機と、第２の無線タイプに従って構成された第２の送受信機とを備えることができる。第１の送受信機及び／又は第２の送受信機は、１つ又は複数の第１のデータユニットを受信するように構成することができる。各第１のデータユニットが選択インジケータを備える。無線通信デバイスは、１つ又は複数の第２のデータユニットを生成するように構成されたデータユニット生成器であって、１つ又は複数の第１のデータユニット及び１つ又は複数の第２のデータユニットは同じ通信フローに属する、データユニット生成器と、選択インジケータ及び記憶された１つ又は複数の選択規則の組を用いて、１つ又は複数の第２のデータユニットのうちの第２のデータユニットごとに、１つ又は複数の第２のデータユニットを送信するための無線タイプを選択するように構成された選択回路とを備える。各選択規則は、少なくとも選択インジケータに基づいて１つ又は複数の無線タイプを選択するための規則を含む。
【００４３】
[0043]第１の送受信機及び／又は第２の送受信機は、アップリンク通信方向（すなわち、通信端末デバイスから基地局への送信方向）において１つ又は複数の第２のデータユニットを送信するように構成することができる。
【００４４】
[0044]無線通信デバイスは、１つ又は複数の選択規則の組を記憶するように構成されたメモリをさらに備えることができる。
【００４５】
[0045]無線通信デバイスは、信号の変調及び復調を行うように構成されたベースバンドモデムをさらに備えることができる。ベースバンドモデムは選択回路を備えることができる。
【００４６】
[0046]第１の送受信機及び／又は第２の送受信機は、規則の組の少なくとも一部分を受信するようにさらに構成することができる。メモリは、この規則の組の少なくとも一部分をメモリに記憶するようにさらに構成することができる。
【００４７】
[0047]第１の送受信機は、Long  Term  Evolution（ＬＴＥ）、例えば、LTE  Advanced（ＬＴＥ−Ａ）、例えばｅＬＴＥに従って無線通信を提供するように構成することができる。
【００４８】
[0048]第２の送受信機は、５Ｇ  Ｎｅｗ  Ｒａｄｉｏに従って、一般的には、５Ｇ又は３ＧＰＰ  Ｒｅｌ．１５以降又はＩＭＴ−２０２０  ｎｅｗ  ｒａｄｉｏによる任意の無線アクセス技術に従って、無線通信を提供するように構成することができる。
【００４９】
[0049]規則の組は、
１つ又は複数の許可された無線アクセスタイプ、
１つ又は複数の好ましい無線アクセスタイプ、及び
１つ又は複数の拒否された無線アクセスタイプ、
から成る要素群の少なくとも１つの要素を含む。
【００５０】
[0050]同じ通信サービスの第２のデータユニットは、同じ選択インジケータを含むことができる。
【００５１】
[0051]通信フローは、エンドツーエンド通信フローとすることができる。エンドツーエンド通信フローは、インターネットプロトコル通信フローとすることができる。１つ又は複数の第１のデータユニット及び／又は１つ又は複数の第２のデータユニットはインターネットプロトコルデータパケットとすることができる。
【００５２】
[0052]選択回路はＰＤＣＰ回路において実施することができる。
【００５３】
[0053]通信サービスは、
音声通信サービス、
ビデオ通信サービス、
テキスト通信サービス、及び
マルチメディア通信サービス、及び
機械通信サービス、
から成る通信サービスの群から選択することができる。
【００５４】
[0054]無線通信デバイスは、それぞれ提供される通信技術に応じて、例えばユーザ機器（ＵＥ）又は任意の他の端末デバイス等の無線通信端末デバイス（例えば、５Ｇに従うナノ機器（Nano  Equipment）（ＮＥ））として構成することができる。
【００５５】
[0055]様々な実施形態において、複数のデータユニットを処理する方法が提供される。本方法は、コアネットワークから複数のデータユニットを受信することを含むことができる。各データユニットは選択インジケータを含む。本方法は、選択インジケータ及び記憶された１つ又は複数の選択規則の組を用いて、複数のデータユニットのうちのデータユニットごとに、複数の無線タイプから、データユニットを送信するための１つ又は複数の無線タイプを選択することをさらに含むことができる。各選択規則は、少なくとも選択インジケータに基づいて１つ又は複数の無線タイプを選択するための規則を含む。
【００５６】
[0056]本方法は、選択された無線タイプに従ってデータユニットを送信することをさらに含むことができる。送信することは、ダウンリンク通信方向においてデータユニットを送信することを含む。
【００５７】
[0057]本方法は、１つ又は複数の選択規則の組を記憶することをさらに含むことができる。
【００５８】
[0058]選択することは、ベースバンドモデムにおいて実行することができる。
【００５９】
[0059]本方法は、規則の組の少なくとも一部分を受信することと、この規則の組の少なくとも一部分を記憶することとをさらに含むことができる。
【００６０】
[0060]本方法は、規則の組の少なくとも一部分を無線通信デバイスに送信することをさらに含むことができる。
【００６１】
[0061]複数の無線タイプのうちの第１の無線タイプは、Long  Term  Evolution（ＬＴＥ）、例えば、LTE  Advanced（ＬＴＥ−Ａ）、例えば、ｅＬＴＥに従う無線通信を含むことができる。
【００６２】
[0062]複数の無線タイプのうちの第２の無線タイプは、５Ｇ  Ｎｅｗ  Ｒａｄｉｏに従う、一般的には、５Ｇ又は３ＧＰＰ  Ｒｅｌ．１５以降又はＩＭＴ−２０２０  ｎｅｗ  ｒａｄｉｏによる任意の無線アクセス技術に従う無線通信を含むことができる。
【００６３】
[0063]規則の組は、
１つ又は複数の許可された無線アクセスタイプ、
１つ又は複数の好ましい無線アクセスタイプ、及び
１つ又は複数の拒否された無線アクセスタイプ、
から成る要素群の少なくとも１つの要素を含む。
【００６４】
[0064]本方法は、コアネットワークに対する論理接続を提供することをさらに含むことができる。論理接続は、無線通信端末デバイスに対する、複数の無線接続、すなわち複数の無線タイプのうちの第１の無線タイプに従う第１の無線接続、及び複数の無線タイプのうちの第２の無線タイプに従う第２の無線接続を含む。
【００６５】
[0065]同じ通信サービスのデータユニットは、同じ選択インジケータ（例えば、同じ値の選択インジケータ）を含むことができる。
【００６６】
[0066]共通通信フローのデータユニットは同じ選択インジケータ（例えば、同じ値の選択インジケータ）を含むことができる。通信フローは、エンドツーエンド通信フローとすることができる。通信フローはインターネットプロトコル通信フローとすることができる。共通インターネットプロトコル通信フローのデータユニットは、インターネットプロトコルデータパケットとすることができる。
【００６７】
[0067]選択することはＰＤＣＰ層において実行することができる。
【００６８】
[0068]複数の無線タイプのうちの第１の無線タイプ及び複数の無線タイプのうちの第２の無線タイプは、１つ又は複数の無線ベアラを提供することができる。
【００６９】
[0069]複数の無線タイプのうちの第１の無線タイプ及び複数の無線タイプのうちの第２の無線タイプは、１つ又は複数の分割無線ベアラを提供することができる。
【００７０】
[0070]通信サービスは、
音声通信サービス、
ビデオ通信サービス、
テキスト通信サービス、及び
マルチメディア通信サービス、及び
機械通信サービス、
から成る通信サービスの群から選択することができる。
【００７１】
[0071]様々な実施形態において、複数のデータユニットを処理する方法が提供される。本方法は、第１の無線タイプ及び／又は第２の無線タイプに従って１つ又は複数の第１のデータユニットを受信することを含むことができる。各第１のデータユニットは選択インジケータを含む。本方法は、１つ又は複数の第２のデータユニットを生成することをさらに含むことができる。１つ又は複数の第１のデータユニット及び１つ又は複数の第２のデータユニットは同じ通信フローに属する。本方法は、それぞれの第１のデータユニットに含まれる選択インジケータ及び記憶された１つ又は複数の選択規則の組を用いて、１つ又は複数の第２のデータユニットのうちの第２のデータユニットごとに、１つ又は複数の第２のデータユニットを送信するための無線タイプを選択することをさらに含むことができる。各選択規則は、少なくとも選択インジケータに基づいて１つ又は複数の無線タイプを選択するための規則を含む。
【００７２】
[0072]送信することは、アップリンク通信方向において１つ又は複数の第２のデータユニットを送信することを含むことができる。
【００７３】
[0073]本方法は、１つ又は複数の選択規則の組を記憶することをさらに含むことができる。
【００７４】
[0074]選択することは、ベースバンドモデムにおいて実行することができる。
【００７５】
[0075]本方法は、規則の組の少なくとも一部分を受信することと、この規則の組の少なくとも一部分を記憶することとをさらに含むことができる。
【００７６】
[0076]複数の無線タイプのうちの第１の無線タイプは、Long  Term  Evolution（ＬＴＥ）、例えば、LTE  Advanced（ＬＴＥ−Ａ）、例えばｅＬＴＥに従う無線通信を含むことができる。
【００７７】
[0077]複数の無線タイプのうちの第２の無線タイプは、５Ｇ  Ｎｅｗ  Ｒａｄｉｏに従う、一般的には、５Ｇ又は３ＧＰＰ  Ｒｅｌ．１５以降又はＩＭＴ−２０２０  ｎｅｗ  ｒａｄｉｏによる任意の無線アクセス技術に従う無線通信を含むことができる。
【００７８】
[0078]規則の組は、
１つ又は複数の許可された無線アクセスタイプ、
１つ又は複数の好ましい無線アクセスタイプ、及び
１つ又は複数の拒否された無線アクセスタイプ、
から成る要素群の少なくとも１つの要素を含む。
【００７９】
[0079]同じ通信サービスの第２のデータユニットは、同じ選択インジケータ（例えば、同じ値の選択インジケータ）を含むことができる。
【００８０】
[0080]通信フローは、エンドツーエンド通信フローとすることができる。
【００８１】
[0081]エンドツーエンド通信フローは、インターネットプロトコル通信フローとすることができる。
【００８２】
[0082]１つ又は複数の第１のデータユニット及び／又は１つ又は複数の第２のデータユニットは、インターネットプロトコルデータパケットとすることができる。
【００８３】
[0083]選択することは、ＰＤＣＰ層で行うことができる。
【００８４】
[0084]通信サービスは、
音声通信サービス、
ビデオ通信サービス、
テキスト通信サービス、及び
マルチメディア通信サービス、及び
機械通信サービス、
から成る通信サービスの群から選択することができる。
【００８５】
[0085]本方法は、無線通信端末デバイスにおいて実行することができる。
【００８６】
[0086]図面において、同じ参照符号は、通常、異なる図面全体を通じて同じ部品を指す。図面は必ずしも縮尺どおりでなく、本発明の原理を示す際に、通常、強調がなされる。以下の説明において、本発明の様々な実施形態が、以下の図面を参照して説明される。
【図面の簡単な説明】
【００８７】
【図１】様々な実施形態による、ダウンリンク方向における通信フローを示す無線通信システムの一部を示す。
【図２】様々な実施形態による、アップリンク方向における通信フローを示す無線通信システムの一部を示す。
【図３】様々な実施形態による無線アクセスノードを示す。
【図４】様々な実施形態による無線通信端末デバイスを示す。
【図５】様々な実施形態による、ベアラセットアッププロセスとの関連でメッセージフローを示すメッセージフロー図を示す。
【図６】様々な実施形態による、複数のデータユニットを処理する方法を示すフロー図を示す。
【図７】様々な実施形態による、複数のデータユニットを処理する方法を示すフロー図を示す。
【詳細な説明】
【００８８】
[0087]以下の詳細な説明は、例示として、本発明を実施することができる特定の詳細及び実施形態を示す添付の図面を参照する。
【００８９】
[0088]「例示的」という語は、本明細書において、「例、実例又は例示としての役割を果たす」ことを意味する。本明細書に「例示的」として記載される任意の実施形態又は設計は、必ずしも、他の実施形態又は設計よりも好ましいか又は有利であると解釈されるものではない。
【００９０】
[0089]本明細書において用いられるとき、「回路」とは、エンティティを実施する任意の種類のロジックとして理解することができる。エンティティは、メモリに記憶されたソフトウェア、ファームウェア及びそれらの任意の組み合わせを実行する専用回路部又はプロセッサとすることができる。さらに、「回路」とは、プログラマブルプロセッサ、例えば、マイクロプロセッサ（例えば、複合命令セットコンピュータ（Complex  Instruction  Set  Computer）（ＣＩＳＣ）プロセッサ又は縮小命令セットコンピュータ（Reduced  Instruction  Set  Computer）（ＲＩＳＣ）プロセッサ）等の、ハードウェアに組み込まれた論理回路又はプログラマブル論理回路とすることができる。また、「回路」は、ソフトウェア、例えば任意の種類のコンピュータプログラム、例えば仮想機械コード、例えばＪａｖａ（登録商標）を用いるコンピュータプログラムを実行するプロセッサであってもよい。以下でより詳細に説明されるそれぞれの機能の他の種類の実施も、「回路」として理解することができる。説明される回路のうちの任意の２つ（又はそれ以上）を、１つの回路に組み合わせることができることも理解することができる。
【００９１】
[0090]５Ｇ通信ネットワークは、非常に異なる特性及びトランスポート要件を有する多岐にわたる通信サービスをサポートすることを目的とする。例えば、車両間（vehicle  to  vehicle）（Ｖ２Ｖ、Ｖ２Ｘ）通信サービスは、非常に厳しいレイテンシ要件を有する場合があるのに対し、高精細（High  Definition）（ＨＤ）ビデオは、非常に高いビットレートを必要とするが、レイテンシの観点ではそれほど要求が厳しくない。evolved  Long  Term  Evolution（ｅＬＴＥ）又は第５世代のＮｅｗ  Ｒａｄｉｏ（５Ｇ  ＮＲ）のような異なる無線アクセス技術（ＲＡＴ）は、例えば、スループット、レイテンシ又はカバレッジに関して非常に異なる性能特性を有するので、使用される通信サービスに基づいてＲＡＴ選択に影響を及ぼすことを可能にするメカニズムが提供される。従来から、これはＱＣＩの使用によってのみ可能であり、すなわち、発展型パケットコア（ＥＰＣ）ベアラ単位で決定が行われる必要がある。
【００９２】
[0091]一方、二重接続分割ベアラ及び新たなインターネットプロトコル（ＩＰ）フローベースのＱｏＳフレームワークを組み合わせると、複数のサービスが単一のＥＰＣベアラにおいて実行されるので、コアネットワーク（core  network）（ＣＮ）は、ＥＰＣベアラ全体についてのみＱＣＩを示すことができ、ＲＡＮは、ベアラの「内部で（inside）」何の通信サービスが実行されているか知ることができない。したがって、ＲＡＮは、ダウンリンクデータパケットのためにいずれのＲＡＴを使用するかを判断する際に、通信サービス要件を考慮に入れることができない。
【００９３】
[0092]以下にさらに詳細に説明されるように、様々な実施形態は、２つの部分、すなわち、ダウンリンク方向における動作と、アップリンク方向における動作のオプションの拡張とに関係することができる。さらに、本出願において、無線アクセスネットワークとコアネットワークとの間のインタラクションは、例えば３ＧＰＰ  Ｒｅｌ．１３において用いられているように、ＥＰＣ及びＬＴＥから既知である用語を用いて記載されている。当業者であれば、提示された構想を、例えばＮｅｘｔＧｅｎ  ＴＲ２３．７９９（例えば、ＴＲ２３．７９９、Ｒｅｌ−１４、バージョン０．７．０）及びＴＲ３８．８０４（例えば、ＴＲ３８．８０４、Ｒｅｌ−１４、バージョン０．２．０）等の、今後のモバイルネットワークアーキテクチャにも移行することができることを理解されたい。
【００９４】
[0093]ダウンリンク方向において、コアネットワークは、ＥＰＣベアラ確立時に（例えばＳ１ＡＰメッセージングを用いる）制御プレーンシグナリングを介して無線アクセスネットワーク（ＲＡＮ）に無線アクセス技術（ＲＡＴ）選択規則を示すことができる。さらに、コアネットワークは、データパケットが関係するか又は属するサービスタイプに基づいてユーザプレーンにおいて送信されるダウンリンクデータパケットを分類及びマーキングすることができる。この分類は、いわゆるディープパケットインスペクション（deep  packet  inspection）（ＤＰＩ）の使用に基づくことができる（換言すれば、それぞれのデータパケットのヘッダ部分及びペイロード部分が解析され、このため、データパケットが属するそれぞれのサービスを決定することができる）。ダウンリンクデータパケットの受信時に、ＲＡＮは、ダウンリンクパケットごとに適切なＲＡＴを決定する際、コアネットワークからの制御プレーンシグナリングを介して受信されたＲＡＴ選択規則を考慮に入れる。
【００９５】
[0094]アップリンク方向において、上記は、ＲＡＮが例えばユーザ機器（ＵＥ）等の無線通信端末デバイスにＲＡＴ選択規則を送信するように拡張することができる。また、ＲＡＮは、コアネットワークから受信したダウンリンクパケットに同じマーキングを割り当てる。次に、ＵＥはＩＰフローとＲＡＴ選択規則との間で類似のバインドテーブルを作成する。次に、ＵＥは、バインドテーブルを用いて、アップリンクパケットの送出時に適切なＲＡＴ選択規則を見つけ出すことができる。
【００９６】
[0095]このため、例示的に、ＲＡＴを選択するとき、及び単一のコアネットワークベアラが複数の通信サービスを搬送するときに、通信サービス特性を考慮に入れることができる。
【００９７】
[0096]様々な実施形態において、例えばＴＲ２３．７９９、Ｒｅｌ−１４、バージョン０．７．０において記載されているようなＩＰフローベースのＱｏＳフレームワークにおけるのと同様の原理を実施することができるが、これらの原理は、例示的に、例えば、ＤＣ分割ベアラを用いて、通信サービスベースのＲＡＴ選択に適用される。様々な実施形態は、ダウンリンク方向における動作、及びアップリンク方向における動作に対するオプションの拡張に関することができる。
【００９８】
[0097]ダウンリンク方向において、コアネットワークは、ＥＰＣ（分割）ベアラ確立（ベアラセットアッププロセスとも呼ばれる）時点において、制御プレーンシグナリング（例えば、Ｓ１ＡＰ）を介してＲＡＮにＲＡＴ選択規則を示すことができる。加えて、コアネットワークは、通信サービス（タイプ）に基づいて、ユーザプレーンにおけるダウンリンクパケットを分類及びマーキングすることができる。この分類は、例えば、ＴＲ２３．７９９、Ｒｅｌ−１４、バージョン０．７．０におけるＩＰフローベースのＱｏＳフレームワークに記載されているようなディープパケットインスペクション（ＤＰＩ）に基づくことができる。それぞれのダウンリンクパケットの受信時に、ＲＡＮは、コアネットワークから制御プレーンシグナリングを介して受信したＲＡＮ規則を、ダウンリンクパケットごとに適切なＲＡＴを決定する際に考慮に入れることができる。
【００９９】
[0098]アップリンク方向において、上記は、ＲＡＮがＵＥにＲＡＴ選択規則を送信するように拡張することができる（代替的に、このシグナリングは、ＲＡＮを介してコアネットワークから透過的に（transparently）搬送される可能性がある）。また、ＲＡＮは、コアネットワークから受信したダウンリンクパケットに同じマーキングを割り当てる。次に、ＵＥは、ＴＲ２３．７９９、Ｒｅｌ−１４、バージョン０．７．０、例えば、ＩＰフローベースのＱｏＳフレームワークのためのセクション３．５に記載されているものに類似のバインドテーブルを作成することができる。差異は、様々な実施形態において、バインドテーブルが、ＲＡＴ選択規則へのＩＰフローのバインドを含むことができることである。次に、ＵＥは、バインドテーブルを用いて、アップリンクパケットの送信時に適切なＲＡＴ選択規則を見つけ出すことができる。
【０１００】
[0099]図１は、様々な実施形態による、ダウンリンク方向における通信フローを示す無線通信システム１００の一部を示す。
【０１０１】
[0100]図１に示すように、無線通信システム１００は、例えば、１つ又は複数のＵＥ、１つ又は複数のナノ機器（ＮＥ）等の、複数の無線通信端末デバイス１０２を備えることができる（複数の無線通信端末デバイスのうちの１つのみが図１に示されている）。
【０１０２】
[0101]さらに、無線通信システム１００は、複数の無線アクセスネットワークノード１０６、１０８を備えることができる、無線アクセスネットワークノード装置１０４を備えることができる。各無線アクセスネットワークノード１０６、１０８は、それぞれの無線タイプ、例えば、それぞれの無線アクセス技術に従って、エアインタフェースを介して、無線通信端末デバイス１０２に無線通信を提供することができる。
【０１０３】
[0102]例として、無線アクセスネットワークノード装置１０４は、ｅＮｏｄｅＢとして構成される第１の無線アクセスネットワークノード１０６を備えることができる。このため、第１の無線アクセスネットワークノード１０６は、Long  Term  Evolution（ＬＴＥ）に従う無線タイプを提供するように構成される。代替として、第１の無線アクセスネットワークノード１０６は、Long  Term  Evolution  Advanced（ＬＴＥ−Ａ）又はevolved  Long  Term  Evolution（ｅＬＴＥ）に従う無線タイプを提供するように構成することができる。通常、第１の無線アクセスネットワークノード１０６は、４Ｇ無線タイプに従って、例えば、４Ｇ無線アクセス技術、又はその進化形（evolution）に従って構成される。
【０１０４】
[0103]さらに、無線アクセスネットワークノード装置１０４は、５Ｇ  Ｎｅｗ  Ｒａｄｉｏとして構成された第２の無線アクセスネットワークノード１０８を備えることができる。このため、第２の無線アクセスネットワークノード１０８は、５Ｇ通信技術（第５世代）に従う無線タイプを提供するように構成される。通常、第２の無線アクセスネットワークノード１０８は、任意の５Ｇ無線タイプに従って、例えば、任意の５Ｇ無線アクセス技術に従って構成することができる。
【０１０５】
[0104]無線アクセスネットワークノード装置１０４は、任意の数の無線アクセスネットワークノードを備えることができ、無線アクセスネットワークノードは、通常、任意の適切な又は所望の無線アクセス技術に従って構成することができることに留意されたい。
【０１０６】
[0105]無線通信システム１００は、それぞれの無線通信技術に従って複数のサブコンポーネントを備えるコアネットワーク１１０をさらに備えることができる。コアネットワーク１１０は、例えば、ＬＴＥに従って発展型パケットコア（ＥＰＣ）として構成することができる。例として、コアネットワーク１１０は、無線アクセスネットワークノード装置１０４に結合され、無線アクセスネットワークノード装置１０４において様々な無線アクセスネットワークノード１０６、１０８に結合されたモビリティ管理エンティティ（Mobility  Management  Entity）（ＭＭＥ）１１２と、無線アクセスネットワークノード装置１０４へのＭＭＥ１１２に結合され、無線アクセスネットワークノード装置１０４において様々な無線アクセスネットワークノード１０６、１０８に結合されたサービングゲートウェイ（Serving  Gateway）（ＳＧＷ）１１４とを備えることができる。さらに、コアネットワーク１１０は、ＳＧＷ１１４に結合されたパケットゲートウェイ（Packet  Gateway）（ＰＧＷ）１１６を備えることができる。
【０１０７】
[0106]コアネットワーク１１０は、インターネット１１８に結合することができる。インターネットは、複数のクライアント及びサーバデバイスを含むことができ、サーバは、１つ又は複数の通信サービスを提供することができる。例として、例えばアプリケーションプログラム等の通信サービスの通信接続、例えば通信セッションは、エンドツーエンド接続の１つの例である。このエンドツーエンド接続は、インターネットプロトコル（ＩＰ）接続を含んでも含まなくてもよい。これは、ＩＰフローと呼ばれる場合もある。ＩＰ接続は、２つのインターネットプロトコル（ＩＰ）アドレス、すなわち、ソースＩＰアドレス及び宛先ＩＰアドレスによって一意に識別することができる。エンドツーエンド接続は、２つのサーバデバイス（例えば、インターネット１１８における、例えばアプリケーションサーバコンピュータ等のサーバコンピュータ）、端末デバイス（例えば、無線通信端末デバイス）及びサーバデバイス間であってもよく、又は２つの端末デバイス間（例えば、２つの無線通信端末デバイス間）であってもよいことに留意されたい。
【０１０８】
[0107]様々な実施形態において、通信サービスは、例えば、
音声通信サービス（換言すれば、オーディオデータのみを含む通信サービス）、
ビデオ通信サービス（換言すれば、ビデオデータを含み、任意選択でさらにオーディオデータ及び／又はテキストデータを含む通信サービス）、
テキスト通信サービス（換言すれば、テキストデータのみを含む通信サービス）、
マルチメディア通信サービス（換言すれば、ビデオデータ、オーディオデータ及び／又はテキストデータを含む通信サービス）、及び、
機械通信サービス（換言すれば、センサデータを報告するか又は機械への若しくは機械からのアクションコマンドを送信する情報を含む通信サービス）、
等の通信を含んでもよく、又はこれらの通信であってもよい。
【０１０９】
[0108]通信サービスのより具体的な例は、以下を含むことができる。
Voice  over  Long  Term  Evolution（ＶｏＬＴＥ）、
車両間通信、
自動販売機、ソーラーパネル、電気自動車バッテリ、コンテナ又は建築機械のような機械からのセンサ読み値及びそれらに対する作動コマンド、
ビデオストリーミングアプリケーション、
バーチャルリアリティー及び拡張現実アプリケーション、
オーディオストリーミングアプリケーション、
モバイルゲームアプリケーション、
テキストメッセージ送信等。
【０１１０】
[0109]多くの通信サービスは、それぞれの通信サービスに関係するか又は属するデータユニット、例えばデータパケットの送信に関して特定の要件及び特性を有する。例として、レイテンシ、ジッタ、サービス品質、最小帯域幅、最小ビット誤り率、パケット損失、可能な限り少数のハンドオーバ、無線カバレッジ、スペクトル効率等に関して異なる要件が生じ得る。
【０１１１】
[0110]一方、例示の目的のみで、ＶｏＬＴＥ通信サービスは、可能な限り少数のハンドオーバを有する安定した通信接続を必要とする。他方で、車両間通信は、データ送信における低いレイテンシを必要とする場合がある。このため、この単純な例は既に、それぞれの通信サービスに関係するか又は属するデータパケットの送信に関し、場合によって非常に異なる需要を示している。
【０１１２】
[0111]さらに、無線通信システム１００は、通信規格ＴＳ３６．３００（例えば、バージョン１２．１０．０）に従って構成され、「二重接続（Dual  Connectivity）」のオプションを提供するように構成され、このため、いわゆる分割ベアラ（split  bearers）を提供するように構成される。換言すれば、無線通信システム１００、及び無線通信システム１００における無線アクセスネットワーク装置１０４は、コアネットワーク１１０への厳密に１つの単一の論理通信接続のために、複数のベアラ（換言すれば、異なるアクセスノード（例えば、１０６、１０８）を介した複数の異なる無線アクセスノードを形成するように構成される。このため、無線通信システム１００は、（コアネットワークに対し透過的な（transparent）方式で）異なる無線アクセス技術、又は異なる動作パラメータを有する同じ無線アクセス技術等の、異なる無線タイプを用いて、１つの単一論理接続を複数の無線接続に分割することが可能である。以下でより詳細に説明されるように、このメカニズムは、異なる通信サービスのデータパケットへの無線タイプの割り当てを最適化するように用いられる。
【０１１３】
[0112]これを行うために、コアネットワーク１１０は、１つ又は複数の選択規則の組を生成することができる。各選択規則は、少なくとも選択インジケータに基づいて１つ又は複数の無線タイプを選択するための規則を含む。以下でより詳細に説明されるように、例として、選択規則は、選択インジケータ（例えば、単純な積分値又は任意の他の種類の一意の識別子とすることができる）を、それぞれの選択インジケータを用いてマーキングされたデータユニット、例えばデータパケットの送信のために用いられる１つ又は複数の無線タイプにマッピングするマッピング命令を含むことができる。
【０１１４】
[0113]様々な実施形態において、選択規則は、ＴＳ３６．３２３の１０ページに記載されているのと同様のフォーマットをとることができるが、ＴＳ３６．３２３の１０ページに記載されているように無線ベアラではなく、各通信フロー、例えば、各ＩＰフローに割り当てられる場合がある。
【０１１５】
[0114]割り当てられた選択インジケータを有しないデータパケットごとに、デフォルト選択規則を提供することができる。デフォルト選択規則は、例えば、そのような通信フロー、例えばＩＰフローのデータパケット（複数可）の送信のために利用可能な全てのダウンリンクＲＡＴ、例えばｅＬＴＥ及び５Ｇ  ＮＲを用いるためのものとすることができる。
【０１１６】
[0115]通常、複数の選択規則のそのような組のテーブルは、以下の構造及び内容を有することができる。
【表１】
0006437132.tif 000002
【０１１７】
[0116]具体的な例において、そのような複数の選択規則の組のテーブルは、以下の構造及び内容を有することができる。
【表２】
0006437132.tif 000003
【０１１８】
[0117]以下で同様により詳細に説明されるように、無線タイプ、例えば、無線アクセス技術（ＲＡＴ）の選択は、ベアラセットアップ手順中に行うことができ、これについても以下でより詳細に説明される。一方、無線タイプ（例えば、ＲＡＴ）の選択は、任意の他の適切な又は所望の時点において行うこともできる。様々な実施形態において、ＭＭＥ１１２は、選択規則の組を生成することができ、この選択規則の組を無線アクセスネットワークノード装置１０４に、より詳細には、無線アクセスネットワークノード１０６、１０８のうちの１つ又は複数に送信することができる。
【０１１９】
[0118]任意選択で、ＴＳ３６．３００（例えば、ＴＳ３６．３００バージョン１２．１０．０）の二重接続に従って、無線通信システム１００、無線アクセスネットワークノード１０６、１０８のうちの一方は、マスタｅＮＢ（ＭｅＮＢ）として指定することができ、無線アクセスネットワークノード１０６、１０８のうちのもう一方は、セカンダリｅＮＢ（ＳｅＮＢ）として指定することができる。ＭｅＮＢの役割は、ネットワーク展開及びオペレータの選択に依拠して、ｅＬＴＥ又は５Ｇ  ＮＲ技術によって実行することができる。
【０１２０】
[0119]この例では、第１の無線アクセスネットワークノード１０６（例えば、ｅＬＴＥノード１０６）にＭｅＮＢの役割が割り当てられ、第２の無線アクセスネットワーク１０８（例えば、５Ｇ  ＮＲノード１０８）にＳｅＮＢの役割が割り当てられることが仮定される。
【０１２１】
[0120]ＭＭＥ１１２は、選択規則の組をＭｅＮＢに、この場合、第１の無線アクセスネットワークノード１０６に送信することができる。
【０１２２】
[0121]通常、選択規則の組は、制御プレーンシグナリングを用いて、コアネットワーク１１０から、無線アクセスネットワークノード装置１０４の無線アクセスネットワークノード１０６、１０８のうちの１つ又は複数に送信することができる（ＬＴＥコアネットワークの場合、Ｓ１アプリケーションプロトコルを用いることができ、５Ｇネットワークの場合、送信はＮＧ２インタフェースを介して実現することができる）。
【０１２３】
[0122]換言すれば、選択規則の組１２０は、コアネットワーク１１０から、図１に示すように制御プレーンシグナリング接続１２２を介して、無線アクセスネットワークノード装置１０４の無線アクセスネットワークノード１０６、１０８のうちの１つ又は複数に、例えば、第１のアクセスネットワークノード１０６に送信することができる。様々な実施形態において、選択規則の組１２０は、無線アクセスネットワークノード装置１０４の無線アクセスネットワークノード１０６、１０８のうちの１つ又は複数によって定義することができる。
【０１２４】
[0123]第１の無線アクセスネットワークノード１０６は、以下でより詳細に説明されるように、選択規則の組１２０を受信し、この選択規則の組１２０をメモリに記憶する。
【０１２５】
[0124]さらに、説明された伝送方式の対象となるダウンリンク送信されたデータパケット１２４ごとに、コアネットワーク１１０、例えばＰＧＷ１１６は、選択インジケータ１２６をデータパケット１２４に割り当てる。様々な実施形態において、１つの共通ＩＰフローの全てのデータパケット１２４をマーキングするために、１つの単一で一意の選択インジケータ１２６を設けることができる。例示的に、選択インジケータ１２６は、１つ又は複数の選択規則の組１２０を用いて、ＲＡＮ（複数可）１０６、１０８において実行される１つ又は複数のＲＡＴの選択のためのキーとしての役割を果たす。このため、ＰＧＷ１１６は、データパケット１２４及び選択インジケータ１２６を含むメッセージ１２８を生成し、このメッセージを、ユーザプレーン接続１３０を用いてＳＧＷ１１４を介して無線アクセスノード１０６、１０８のうちの１つ又は複数に送信する。この例において、メッセージ１２８は、第１の無線アクセスノード１０６に送信することができる（ＬＴＥコアネットワークの場合、Ｓ１−Ｕインタフェースを用いるＧＴＰ−Ｕアプリケーションプロトコルを用いることができ、５Ｇコアネットワークの場合、送信はＮＧ３インタフェースを介して実現することができる）。
【０１２６】
[0125]例として、コアネットワーク１１０は、それぞれのＩＰフローのダウンリンクデータパケット１２４が関係する（換言すれば、属する）通信サービスに基づいてダウンリンクデータパケット１２４を分類及びマーキングすることができる。コアネットワーク１１０、例えばＰＧＷ１１６は、ディープパケットインスペクション（ＤＰＩ）を用いてそれぞれの通信サービスを決定することができる。
【０１２７】
[0126]様々な選択インジケータ及び様々なＩＰフロー（例えば、ソースＩＰアドレス及び宛先ＩＰアドレス及びフロー識別子によって特定される）を有する複数のメッセージ１３０を示すユーザプレーンシグナリングの例示的な構造が以下に示される。
【表３】
0006437132.tif 000004
【０１２８】
[0127]メッセージ１２８を受信した後、第１の無線アクセスネットワークノード１０６は選択インジケータ１２６を決定し、決定された選択インジケータ１２６及び以前に記憶された選択規則の組１２０を用いて、メッセージ１２８のデータパケット１２４の送信のために用いられる１つ又は複数のＲＡＴを決定する。
【０１２９】
[0128]選択インジケータに対する選択規則の組１２２を適用した結果、このＩＰフローの通信サービスのデータパケットが、第１のＲＡＴ（すなわち、第１の無線アクセスネットワークノード１０６によって提供されるＲＡＴ）のみを用いて送信されるべきである場合、データパケット１２４は、第１のＲＡＴを用いることにより、例えば第１の無線アクセスネットワークノード１０６とＵＥ１０２との間の第１の無線アクセス接続１３２を用いることによりＵＥ１０２に送信されることになる。例として、ＩＰフローが音声サービス（例えば、ＶｏＬＴＥ又はＳｋｙｐｅ等）に関係する場合、このＩＰフローのデータパケットは、ｅＬＴＥエアインタフェースを介して送信することができる。
【０１３０】
[0129]一方、選択インジケータに対する選択規則の組１２２を適用した結果、このＩＰフローの通信サービスのデータパケットが、第２のＲＡＴ（すなわち、第２の無線アクセスネットワークノード１０８によって提供されるＲＡＴ）のみを用いて送信されるべきである場合、データパケット１２４は、ＲＡＴを用いることにより、例えば第２の無線アクセスネットワークノード１０８とＵＥ１０２との間の第２の無線アクセス接続１３４を用いることによりＵＥ１０２に送信されることになる。例として、ＩＰフローが車両間通信サービスに関係する場合、このＩＰフローのデータパケットは、５Ｇ  ＮＲエアインタフェースを介して送信することができる。
【０１３１】
[0130]図２は、様々な実施形態によるアップリンク方向における通信フローを示す無線通信システムの一部を示す。
【０１３２】
[0131]アップリンク方向においてもエアインタフェースリソースを最適化するために、任意選択で、無線アクセスネットワークノード装置１０４の無線アクセスネットワークノード１０６、１０８のうちの１つ又は複数、例えば無線アクセスネットワークノード１０６が、選択規則の組１２０を、例えばＵＥ１０２等の１つ又は複数の無線通信端末デバイスに送信することができる。選択規則の組１２０は、例えば、ＰＤＣＰを用いて、制御プレーンシグナリングを用いて送信することができる。
【０１３３】
[0132]このために、選択規則の組１２０のフォーマットは、第１の無線アクセスネットワークノード１０６によって（例えば、送信機によって）、この第１の無線アクセスネットワークノード１０６が選択規則の組１２０を受信したフォーマットから、アクセス層シグナリングにおいて搬送することができる、アクセスシグナリングによって選択規則のフォーマット変換された組１２０を送信するためのフォーマットに変更することができる。
【０１３４】
[0133]代替として、第１の無線アクセスネットワークノード１０６、例えば、送信機は、規則を透過的に（transparently）通し、非アクセス層シグナリングによって、フォーマットが変更されていない規則を送信するように構成することができる。
【０１３５】
[0134]換言すれば、図２に示すように、選択規則の組１２０は、第１の無線アクセスネットワークノード１０６から、無線通信端末デバイスのうちの１つ又は複数、例えばＵＥ１０２に、さらなる制御プレーンシグナリング接続１３６を介して送信することができる。
【０１３６】
[0135]以下でより詳細に説明されるように、ＵＥ１０２は、選択規則の組１２０を受信し、この選択規則の組１２０をメモリに記憶する。
【０１３７】
[0136]さらに、説明された伝送方式の対象となるダウンリンク送信されたデータパケット１２４ごとに、例えば第１の無線アクセスネットワークノード１０６は、メッセージ１２８、すなわちデータパケット１２４を送信し、関連付けられた選択インジケータ１２６を、例えば、メッセージ１２８が属する通信フロー（例えば、ＩＰフロー）の宛先アドレス（例えば、ＩＰ宛先アドレス）として示されたＵＥ１０２に送信する。
【０１３８】
[0137]ＵＥ１０２は、ダウンリンク方向におけるそれぞれの通信フロー、例えばＩＰフローのデータパケットのマッピング、及びＲＡＴ選択規則（複数可）を含むバインドテーブルを生成し、記憶する。
【０１３９】
[0138]そのようなバインドテーブルの例示的な構造が以下に与えられる。
【表４】
0006437132.tif 000005
【０１４０】
[0139]例示的に、バインドテーブルは、上記で説明した選択規則の組１２０と、様々な選択インジケータ及び様々なＩＰフローを有する複数のメッセージ１３０を示すユーザプレーンシグナリングの例示的な構造とをマージした結果である。
【０１４１】
[0140]アップリンクデータパケット１４０を送信するとき、ＵＥ１０２はバインドテーブルを用いて、それぞれの通信フローの、例えばそれぞれのＩＰフローのアップリンクデータパケット１４０のために用いられるＲＡＴ選択規則及びＲＡＴを決定することができる。次に、ＵＥ１０２は、対応して決定されたＲＡＴ、例えば、ＵＥ１０２と第１の無線アクセスネットワークノード１０６との間のユーザプレーンアップリンク接続１４２を介してアップリンクデータパケット１４０を送信することができる。
【０１４２】
[0141]第１の無線アクセスネットワークノード１０６は、アップリンクデータパケット１４０を受信し、アップリンクデータパケット１４０を、例えば、第１の無線アクセスネットワークノード１０６とコアネットワーク１１０のＳＧＷ１１４との間のユーザプレーン接続１４４を介してコアネットワーク１１０に転送する。コアネットワーク１１０は、アップリンクデータパケット１４０を、通信フロー、例えばＩＰフローのアップリンク宛先デバイスに転送する。
【０１４３】
[0142]図３は、様々な実施形態による第１の無線アクセスネットワークノード１０６を示す。第２の無線アクセスネットワークノード１０８は類似の構造を有することができる。
【０１４４】
[0143]第１の無線アクセスネットワークノード１０６は、コアネットワーク１１０、例えばＭＭＥ１１２及び／又はＳＱＷ１１４と通信するように構成された第１の送受信機３０２を備えることができる。第１の送受信機３０２は、それぞれの通信技術、例えば、Ｅｔｈｅｒｎｅｔ（登録商標）、ＭＰＬＳ−ＴＰ、ＩＰ／ＭＰＬＳ、ＳＤＨ／ＰＤＨ等の有線通信プロトコル、及びＯＴＮ若しくはＰＯＮのような光技術又はマイクロ波技術に依拠して、任意の所望のプロトコルに従って信号を送受信するように構成することができる。
【０１４５】
[0144]第１の無線アクセスネットワークノード１０６は、第１の送受信機３０２に結合され、それぞれに提供される通信プロトコル（複数可）に従って、第１の送受信機３０２を介して受信されるか又は第１の送信機３０２によって送信されるデータ及び制御信号を変調／復調するように構成された第１のベースバンドモデム（以下において第１のベースバンドユニットとも呼ばれる）３０４をさらに備えることができる。
【０１４６】
[0145]第１の無線アクセスネットワークノード１０６は、無線通信端末デバイスと、例えばＵＥ１０２等と通信するように構成された第２の送受信機３０６を備えることができる。第２の送受信機３０６は、それぞれの通信技術に応じて、例えば、ＬＴＥ、ＬＴＥ  Ａ及び／又はｅＬＴＥに従って提供される単数又は複数の物理層技術に従って、任意の所望の物理層プロトコルに従って信号を送受信するように構成することができる（第２の無線アクセスネットワークノード１０８の場合、第２の送受信機３０６は、例えば、５Ｇ  ＮＲに従って提供される単数又は複数の物理層技術に従って構成することができる）。
【０１４７】
[0146]第１の無線アクセスネットワークノード１０６は、第２の送受信機３０６に結合され、それぞれに提供される通信プロトコル（複数可）に従って、第２の送受信機３０６を介して受信されるか又は第２の送信機３０６によって送信されるデータ及び制御信号を変調／復調するように構成された、第２のベースバンドモデム（以下において第２のベースバンドユニットとも呼ばれる）３０８をさらに備えることができる。第２のベースバンドモデム３０８は、例えば、ＰＤＣＰプロトコルの実施を含むことができる。第２のベースバンドモデム３０８は、データパケット１２４、及び任意選択でメッセージ１２８の送信のためにＰＤＣＰを用いることができる。
【０１４８】
[0147]第１のベースバンドモデム３０４及び第２のベースバンドモデム３０８は、同様に第１の無線アクセスネットワークノード１０６に含めることができる、プロセッサ３１０、例えばアプリケーションプロセッサ３１０に結合することができる。さらに、第１の無線アクセスネットワークノード１０６は、メモリ３１２を備えることができる。メモリ３１２は、揮発性メモリ（例えば、ランダムアクセスメモリ（ＲＡＭ）等）及び／又は不揮発性メモリ（例えば、フラッシュメモリ（例えば、浮遊ゲートメモリ、相変化ランダムアクセスメモリ等）等の、例えば不揮発性ランダムアクセスメモリ（Non-Volatile  Random  Access  Memory）（ＮＶＲＡＭ）等）を含むことができる。メモリ３１２は１つ又は複数の別々のメモリを含むことができる。メモリ３１２は、第１の無線アクセスネットワークノード１０６を、例えば、ベースバンドモデム３０４、３０８及び送受信機３０２、３０６に、それぞれの制御及びデータパケットをどのように処理するかに関して命令するように動作させるための動作命令３１４を記憶することができる。メモリ３１２は、上記で説明したような選択規則の組１２０をさらに記憶することができる。第１の無線アクセスネットワークノード１０６は、それぞれのＵＥコンテキストの一部としてＲＡＴ選択規則１２０を記憶することができる。
【０１４９】
[0148]第１の無線アクセスネットワークノード１０６は、ダウンリンクデータパケット１２４におけるマーキングを読み出すことができ、マーキングに基づいて（換言すれば、選択インジケータ１２８に基づいて）、対応するＲＡＴ選択規則を選択することができ、ＲＡＴ選択規則に基づいて、上記のパラメータのための値を相応に設定することができる。
【０１５０】
[0149]さらに、第１の無線アクセスネットワークノード１０６は、ユーザプレーンにおいて受信したマーキングを、Ｕｕインタフェースにおける無線ヘッダ（例えば、新たなＰＣＤＰヘッダ）に変換することができる。
【０１５１】
[0150]図４は、様々な実施形態による、例えばＵＥ１０２等の無線通信端末デバイス１０２を示す。
【０１５２】
[0151]ＵＥ１０２は、（例えば、ＬＴＥ、ＬＴＥ−Ａ及び／又はｅＬＴＥに従って）第１の無線アクセスネットワークノード１０６と通信するように構成された第１の送受信機４０２と、（例えば、５Ｇ  ＮＲに従って）第２の無線アクセスネットワークノード１０８と通信するように構成された第２の送受信機４０４とを備えることができる。第１の送受信機３０２は、第１の無線アクセスネットワークノード１０６によって所望されるそれぞれの通信技術に応じて、任意の所望の物理層プロトコルに従って信号を送受信するように構成することができる。第２の送受信機３０２は、第２の無線アクセスネットワークノード１０８によって所望されるそれぞれの通信技術に応じて、任意の所望の物理層プロトコルに従って信号を送受信するように構成することができる。
【０１５３】
[0152]ＵＥ１０２は、第１の送受信機４０２に結合され、それぞれに提供される通信プロトコル（複数可）に従って、第１の送受信機４０２を介して受信されるか又は第１の送信機４０２によって送信されるデータ及び制御信号を変調／復調するように構成された第１のベースバンドモデム４０６をさらに備えることができる。
【０１５４】
[0153]ＵＥ１０２は、第２の送受信機４０４に結合され、それぞれに提供される通信プロトコル（複数可）に従って、第２の送受信機４０４を介して受信されるか又は第２の送信機４０４によって送信されるデータ及び制御信号を変調／復調するように構成された第２のベースバンドモデム４０８をさらに備えることができる。
【０１５５】
[0154]第１のベースバンドモデム４０６及び第２のベースバンドモデム４０８は、例えば、ＰＤＣＰプロトコルの実施を含むことができる。ベースバンドモデム４０６、４０８は、データパケット１２４及び任意選択でメッセージ１２８の送信のためにＰＤＣＰを用いることができる。
【０１５６】
[0155]第１のベースバンドモデム４０６及び第２のベースバンドモデム４０８は、同様にＵＥ１０２に含めることができる、プロセッサ４１０、例えばアプリケーションプロセッサ４１０に結合することができる。さらに、ＵＥ１０２は、メモリ４１２を備えることができる。
【０１５７】
[0156]メモリ４１２は、揮発性メモリ（例えば、ランダムアクセスメモリ（Random  Access  Memory）（ＲＡＭ））及び／又は不揮発性メモリ（例えば、例としてフラッシュメモリ（例えば、浮遊ゲートメモリ、相変化ランダムアクセスメモリ等）等の不揮発性ランダムアクセスメモリ（Non-Volatile  Random  Access  Memory）（ＮＶＲＡＭ）等）を含むことができる。メモリ４１２は１つ又は複数の別々のメモリを含むことができる。メモリ４１２は、ＵＥ１０２を、例えば、ベースバンドモデム４０６、４０８及び送受信機４０２、４０６に、それぞれの制御及びデータパケットをどのように処理するかに関して命令するように動作させるための動作命令４１４を記憶することができる。メモリ４１２は、上記で説明したような選択規則の組１２０をさらに記憶することができる。ＵＥ１０２は、それぞれのベアラコンテキストの一部としてＲＡＴ選択規則１２０を記憶することができる。
【０１５８】
[0157]アプリケーションプロセッサ４１０は、トランスポートプロトコル層の上位の任意のプロトコルに従ってデータを処理するように構成することができる。アプリケーションプロセッサ４１０は、例えば任意のアプリケーションプログラムに従って、例えば例としてハイパーテキスト転送プロトコル（Hypertext  Transfer  Protocol）（ＨＴＴＰ）等に従ってデータを処理するように構成することができる。
【０１５９】
[0158]図５は、様々な実施形態による、ベアラセットアッププロセスとの関連でメッセージフローを示すメッセージフロー図５００を示す。
【０１６０】
[0159]この例において、ベアラセットアッププロセスはＵＥ１０２によって開始され、ＵＥ１０２は、無線リソース制御（Radio  Resource  Control）（ＲＲＣ）接続セットアップ／ＰＤＮ接続要求メッセージ５０２を生成し、このメッセージを第１の無線アクセスネットワーク１０６及びＭＭＥ１２に送信することができる。
【０１６１】
[0160]ＲＲＣ接続セットアップ／ＰＤＮ接続要求メッセージ５０２を受信した後、ＭＭＥ１１２は、セッション要求メッセージ５０４を生成し、このセッション要求メッセージ５０４をＰＧＷ１１６に送信することができる。
【０１６２】
[0161]セッション要求メッセージ５０４を受信した後、ＰＧＷ１１６は、セッション応答メッセージ５０６を生成し、このセッション応答メッセージ５０６をＳＧＷ１１４及びＭＭＥ１１２に送信することができる。
【０１６３】
[0162]上記で説明したように、コアネットワーク１１０、例えばＭＭＥ１１２は、ベアラセットアップ時にＲＡＴ選択規則１２０をＲＡＮに対し事前構成することができる。ＲＡＴ選択規則１２０は、ユーザプレーンにおけるパケットマーキングにおいて用いられる値（すなわち、選択インジケータの値）がどのようにＲＡＴ優先権／選択に変換されるかを示す。
【０１６４】
[0163]セッション応答メッセージ５０６を受信した後、ＭＭＥ１１２は、ベアラセットアップ要求メッセージ５０８を生成することができ、このベアラセットアップ要求メッセージ５０８を、例えば第１の無線アクセスネットワークノード１０６に送信することができる。
【０１６５】
[0164]ベアラセットアップ要求メッセージ５０８を受信した後、第１の無線アクセスネットワークノード１０６は、ＲＲＣ再構成／ＰＤＮ接続受理メッセージ５１０を生成することができ、このＲＲＣ再構成／ＰＤＮ接続受理メッセージ５１０をＵＥ１０２に送信することができる。この関連で、様々な実施形態において、例えば、ＴＳ３６．３００（例えば、ＴＳ３６．３００バージョン１２．１０．０）に規定されているように、ベアラ（の全て又はいくつか）が分割ベアラとして構成されることに留意されたい。ＲＲＣ再構成／ＰＤＮ接続受理メッセージ５１０は、ベアラタイプ（及び任意選択で選択規則の組）を含み、ＵＥ１０２に対し示すことができる。
【０１６６】
[0165]上記で説明したようにベアラセットアッププロセスが完了した後、ＤＰＩプロセス５１２は、それぞれに用いられる通信サービスに基づいて、ダウンリンクパケット１２４を分類及びマーキングすることができる。マーキングは、例えば、ＴＲ２３．７９９、Ｒｅｌ−１４、バージョン０．７．０に記載されているように、例えばＦＰＩと類似した方式で行うことができる。例えば、代替的な実施形態では、任意の他の分類及びマーキング方法も用いることができる。
【０１６７】
[0166]データパケット１２４及び選択インジケータ１２６を含むメッセージ１２８を受信した後、第１の無線アクセスネットワークノード１０６は、データパケットマーキングを決定することができ、以前に記憶された選択規則の組１２０に基づいて、適切なＲＡＴ（複数可）を決定することができる。ベアラタイプは分割ベアラであるため、ＰＤＣＰ層は、ユーザプレーンにおける新たな指標に基づいてＲＡＴに関する決定を行うことができる。
【０１６８】
[0167]さらに、第１の無線アクセスネットワークノード１０６は、例えば、データパケット１２４が第２の無線アクセスネットワークノード１０８によって、例えば５Ｇ  ＮＲ  ＲＡＴを用いてＵＥ１０２に送信されるべきである場合、メッセージ５１４（データパケット１２４を含む）をＳＣＧ（５Ｇ  ＮＲ）無線接続を介して第２の無線アクセスネットワークノード１０８に送信することができる。この場合、データパケットは、第２の無線アクセスネットワークノード１０８によってＵＥ１０２に送信することができる。データパケット１２４が第１の無線アクセスネットワークノード１０６によって送信されるべき場合、データパケット１２４は、例えば、ＬＴＥ（又はＬＴＥ−Ａ又はｅＬＴＥ）ＲＡＴを用いて第１の無線アクセスネットワークノード１０６によって送信される。
【０１６９】
[0168]次に、ＵＥ１０２は、アップリンクデータパケット（複数可）が属するそれぞれの通信フロー（例えば、ＩＰフロー）に応じて、上記で説明した方式の逆に相応する方式でアップリンクデータパケットを生成し送信することができる。これは、図５において矢印５１６で表される。
【０１７０】
[0169]アップリンク送信の場合、ＵＥ１０２は、例えばＴＲ２３．７９９、Ｒｅｌ−１４、バージョン０．７．０に記載されているような、いわゆる反映型ＱｏＳ（Reflective  QoS）と同様の構想を実施し、ＲＡＴ選択規則に対する通信フロー、例えばＩＰフローのバインドに基づいてＲＡＴを決定することができる。
【０１７１】
[0170]実施形態は、ＬＴＥ及び５Ｇ  ＮＲ無線アクセス技術間でＲＡＴを選択することに限定されないことに留意されたい。様々な実施形態は、いくつか例を挙げると、例えば、ＬＴＥ−ＷＬＡＮアグリゲーションが用いられるときにＬＴＥ及びＷＬＡＮ無線間で選択するか、又はスモールセル展開ではＬＴＥピコ及びマクロセル間で選択するのにも同様に用いることもできる。これらについては共に、ＴＳ３６．３００（例えば、ＴＳ３６．３００バージョン１２．１０．０）に記載されている。
【０１７２】
[0171]図６は、様々な実施形態による、複数のデータユニットを処理する方法６００を示すフロー図を示す。
【０１７３】
[0172]方法６００は、６０２において、コアネットワークから複数のデータユニットを受信することを含むことができ、各データユニットは選択インジケータを含む。方法６００は、６０４において、選択インジケータ及び記憶された１つ又は複数の選択規則の組を用いて、複数のデータユニットのうちのデータユニットごとに、複数の無線タイプから、データユニットを送信するための１つ又は複数の無線タイプを選択することをさらに含むことができ、各選択規則は、少なくとも選択インジケータに基づいて１つ又は複数の無線タイプを選択するための規則を含む。
【０１７４】
[0173]図７は、様々な実施形態による、複数のデータユニットを処理する方法７００を示すフロー図を示す。
【０１７５】
[0174]方法７００は、７０２において、第１の無線タイプ及び／又は第２の無線タイプに従って１つ又は複数の第１のデータユニットを受信することを含むことができ、各第１のデータユニットは選択インジケータを含む。方法７００は、７０４において、１つ又は複数の第２のデータユニットを生成することをさらに含むことができ、１つ又は複数の第１のデータユニット及び１つ又は複数の第２のデータユニットは同じ通信フローに属し、また方法７００は、７０６において、選択インジケータ及び記憶された１つ又は複数の選択規則の組を用いて、１つ又は複数の第２のデータユニットのうちの第２のデータユニットごとに、１つ又は複数の第２のデータユニットを送信するための無線タイプを選択することをさらに含むことができ、各選択規則は、少なくとも選択インジケータに基づいて１つ又は複数の無線タイプを選択するための規則を含む。
【０１７６】
[0175]以下は、様々な実施形態による、ＰＤＣＰ構成のＡＳＮ．１実施を説明する。
ＰＤＣＰ−Ｃｏｎｆｉｇ
ＩＥ  ＰＤＣＰ−Ｃｏｎｆｉｇを用いて、データ無線ベアラのための構成可能なＰＤＣＰパラメータを設定する。
ＰＤＣＰ−Ｃｏｎｆｉｇ情報要素
RAT-selection-rule  ::=  SEQUENCE  {  ul-DataSplitDRB-ViaSCG-r12  BOOLEAN  OPTIONAL,  --  Need  ON
ul-DataSplitThreshold-r13  CHOICE  {
1.  release  NULL,
2.  setup  ENUMERATED  {
3.  b0,  b100,  b200,  b400,  b800,  b1600,  b3200,  b6400,  b12800,  b25600,  b51200,  b102400,  b204800,  b409600,  b819200,spare1}
PDCP-Config  ::=  SEQUENCE  {
…
RAT-selection-rule-list  ::=  SEQUENCE  (SIZE  (1..max))  OF  RAT-selection-rule
…
【０１７７】
[0176]様々な例が以下に説明される。
【０１７８】
[0177]実施例１は、無線アクセスネットワークノード装置である。無線アクセスネットワークノード装置は無線アクセスネットワークノード装置を含むことができる。無線アクセスネットワークノード装置は、第１の無線タイプに従って無線接続を提供するように構成された第１の無線アクセスネットワークノードと、第２の無線タイプに従って無線接続を提供するように構成された第２の無線アクセスネットワークノードと、コアネットワークから複数のデータユニットを受信するように構成された受信機とを備えることができる。各データユニットは選択インジケータを含む。無線アクセスネットワークノード装置は、選択インジケータ及び記憶された１つ又は複数の選択規則の組を用いて、複数のデータユニットのうちのデータユニットごとに、データユニットを送信するために無線タイプのうちの１つ又は複数を選択するように構成された選択回路をさらに備えることができる。各選択規則は、少なくとも選択インジケータに基づいて１つ又は複数の無線タイプを選択するための規則を含む。
【０１７９】
[0178]実施例２において、実施例１の主題は、任意選択で、無線アクセスネットワークノード装置が、選択された無線タイプに従ってデータユニットを送信するように構成された送信機をさらに備えることを含むことができる。
【０１８０】
[0179]実施例３において、実施例２の主題は、任意選択で、送信機がダウンリンク方向においてデータユニットを送信するように構成されることを含むことができる。
【０１８１】
[0180]実施例４において、実施例１〜３のいずれか１つの主題は、任意選択で、無線アクセスネットワークノード装置が１つ又は複数の選択規則の組を記憶するように構成されたメモリをさらに備えることを含むことができる。
【０１８２】
[0181]実施例５において、実施例１〜４のいずれか１つの主題は、任意選択で、無線アクセスネットワークノード装置が、信号の変調及び復調を行うように構成されたベースバンドモデムをさらに備えることを含むことができる。
【０１８３】
[0182]実施例６において、実施例５の主題は、任意選択で、ベースバンドモデムが選択回路を備えることを含むことができる。
【０１８４】
[0183]実施例７において、実施例１〜６のいずれか１つの主題は、任意選択で、受信機が規則の組の少なくとも一部分を受信するようにさらに構成されることを含むことができる。
【０１８５】
[0184]実施例８において、実施例７の主題は、任意選択で、メモリが規則の組の少なくとも一部分をメモリに記憶するようにさらに構成されることを含むことができる。
【０１８６】
[0185]実施例９において、実施例２〜９のいずれか１つの主題は、送信機が規則の組の少なくとも一部分を無線通信デバイスに送信するようにさらに構成されることを含むことができる。
【０１８７】
[0186]実施例１０において、実施例２〜９のいずれか１つの主題は、任意選択で、第１の無線アクセスネットワークノード及び／又は第２の無線アクセスネットワークノードが、規則を、アクセス層シグナリングにおいて搬送することができるフォーマットに変換し、フォーマット変換された規則を、アクセス層シグナリングにて送信するように構成されることを含むことができる。
【０１８８】
[0187]実施例１１において、実施例２〜９のいずれか１つの主題は、任意選択で、第１の無線アクセスネットワークノード及び／又は第２の無線アクセスネットワークノードが、規則を透過的に（transparently）通し、これらの規則を、非アクセス層シグナリングにて送信するようにさらに構成されることを含むことができる。
【０１８９】
[0188]実施例１２において、実施例１〜１１のいずれか１つの主題は、任意選択で、第１の無線アクセスネットワークノードがLong  Term  Evolutionに従って無線通信を提供するように構成されることを含むことができる。
【０１９０】
[0189]実施例１３において、実施例１〜１２のいずれか１つの主題は、任意選択で、第２の無線アクセスネットワークノードが５Ｇ  Ｎｅｗ  Ｒａｄｉｏに従って無線通信を提供するように構成されることを含むことができる。
【０１９１】
[0190]実施例１４において、実施例１〜１３のいずれか１つの主題は、任意選択で、規則の組が、１つ又は複数の許可された無線アクセスタイプ、１つ又は複数の好ましい無線アクセスタイプ、及び１つ又は複数の拒否された無線アクセスタイプから成る要素群の少なくとも１つの要素を含むことを含むことができる。
【０１９２】
[0191]実施例１５において、実施例１〜１４のいずれか１つの主題は、任意選択で、無線アクセスネットワークノード装置がコアネットワークに対する論理接続を提供するように構成されることを含むことができ、論理接続は、無線通信端末デバイスに対する、複数の無線接続、すなわち、第１の無線タイプに従う第１の無線接続、及び第２の無線タイプに従う第２の無線接続を含む。
【０１９３】
[0192]実施例１６において、実施例１〜１５のいずれか１つの主題は、任意選択で、同じ通信サービスのデータユニットが同じ選択インジケータを含むことを含むことができる。
【０１９４】
[0193]実施例１７において、実施例１〜１６のいずれか１つの主題は、任意選択で、共通通信フローのデータユニットが同じ選択インジケータを含むことを含むことができる。
【０１９５】
[0194]実施例１８において、実施例１７の主題は、任意選択で、通信フローがエンドツーエンド通信フローであることを含むことができる。
【０１９６】
[0195]実施例１９において、実施例１８の主題は、任意選択で、通信フローがインターネットプロトコル通信フローであることを含むことができる。
【０１９７】
[0196]実施例２０において、実施例１９の主題は、任意選択で、共通インターネットプロトコル通信フローのデータユニットがインターネットプロトコルデータパケットであることを含むことができる。
【０１９８】
[0197]実施例２１において、実施例１〜２０のいずれか１つの主題は、任意選択で、選択回路がＰＤＣＰ回路において実施されることを含むことができる。
【０１９９】
[0198]実施例２２において、実施例１〜２１のいずれか１つの主題は、任意選択で、第１の無線アクセスネットワークノード及び第２の無線アクセスネットワークノードが１つ又は複数の無線ベアラを提供するように構成されることを含むことができる。
【０２００】
[0199]実施例２３において、実施例２２の主題は、任意選択で、第１の無線アクセスネットワークノード及び第２の無線アクセスネットワークノードが１つ又は複数の分割無線ベアラを提供するように構成されることを含むことができる。
【０２０１】
[0200]実施例２４において、実施例１６〜２３のいずれか１つの主題は、任意選択で、通信サービスが、音声通信サービス、ビデオ通信サービス、テキスト通信サービス、マルチメディア通信サービス、及び機械通信サービスから成る通信サービスの群から選択されることを含むことができる。
【０２０２】
[0201]実施例２５は無線通信デバイスである。無線通信デバイスは、第１の無線タイプに従って構成された第１の送受信機と、第１の無線タイプに従って構成された第２の送受信機とを備えることができる。第１の送受信機及び／又は第２の送受信機は、１つ又は複数の第１のデータユニットを受信するように構成される。各第１のデータユニットは選択インジケータを備える。無線通信デバイスは、１つ又は複数の第２のデータユニットを生成するように構成されたデータユニット生成器をさらに備えることができる。１つ又は複数の第１のデータユニット及び１つ又は複数の第２のデータユニットは同じ通信フローに属する。無線通信デバイスは、選択インジケータ及び記憶された１つ又は複数の選択規則の組を用いて、１つ又は複数の第２のデータユニットのうちの第２のデータユニットごとに、１つ又は複数の第２のデータユニットを送信するための無線タイプを選択するように構成された選択回路をさらに備えることができる。各選択規則は、少なくとも選択インジケータに基づいて１つ又は複数の無線タイプを選択するための規則を含む。
【０２０３】
[0202]実施例２６において、実施例２５の主題は、任意選択で、第１の送受信機及び／又は第２の送受信機がアップリンク通信方向において１つ又は複数の第２のデータユニットを送信するように構成されることを含むことができる。
【０２０４】
[0203]実施例２７において、実施例２５又は２６の主題は、任意選択で、無線通信デバイスが１つ又は複数の選択規則の組を記憶するように構成されたメモリをさらに備えることを含むことができる。
【０２０５】
[0204]実施例２８において、実施例２５〜２７のいずれか１つの主題は、任意選択で、無線通信デバイスが、信号の変調及び復調を行うように構成されたベースバンドモデムをさらに含むことを含むことができる。
【０２０６】
[0205]実施例２９において、実施例２８の主題は、任意選択で、ベースバンドモデムが選択回路を備えることを含むことができる。
【０２０７】
[0206]実施例３０において、実施例２５〜２９のいずれか１つの主題は、任意選択で、第１の送受信機及び／又は第２の送受信機が、規則の組の少なくとも一部分を受信するようにさらに構成されることを含むことができる。
【０２０８】
[0207]実施例３１において、実施例３０の主題は、任意選択で、メモリが規則の組の少なくとも一部分をこのメモリに記憶するようにさらに構成されることを含むことができる。
【０２０９】
[0208]実施例３２において、実施例２５〜３１のいずれか１つの主題は、任意選択で、第１の送受信機がLong  Term  Evolutionに従って無線通信を提供するように構成されることを含むことができる。
【０２１０】
[0209]実施例３３において、実施例２５〜３２のいずれか１つの主題は、任意選択で、第２の送受信機が５Ｇ  Ｎｅｗ  Ｒａｄｉｏに従って無線通信を提供するように構成されることを含むことができる。
【０２１１】
[0210]実施例３４において、実施例２５〜３３のいずれか１つの主題は、任意選択で、規則の組が、１つ又は複数の許可された無線アクセスタイプ、１つ又は複数の好ましい無線アクセスタイプ、及び１つ又は複数の拒否された無線アクセスタイプから成る要素群の少なくとも１つの要素を含むことを含むことができる。
【０２１２】
[0211]実施例３５において、実施例２５〜３４のいずれか１つの主題は、任意選択で、同じ通信サービスの第２のデータユニットが、同じ選択インジケータを含むことを含むことができる。
【０２１３】
[0212]実施例３６において、実施例２５〜３５のいずれか１つの主題は、任意選択で、通信フローがエンドツーエンド通信フローであることを含むことができる。
【０２１４】
[0213]実施例３７において、実施例３６の主題は、任意選択で、エンドツーエンド通信フローがインターネットプロトコル通信フローであることを含むことができる。
【０２１５】
[0214]実施例３８において、実施例３７の主題は、任意選択で、１つ又は複数の第１のデータユニット及び／又は１つ又は複数の第２のデータユニットがインターネットプロトコルデータパケットであることを含むことができる。
【０２１６】
[0215]実施例３９において、実施例２５〜３８のいずれか１つの主題は、任意選択で、選択回路がＰＤＣＰ回路において実施されることを含むことができる。
【０２１７】
[0216]実施例４０において、実施例２５〜３９のいずれか１つの主題は、任意選択で、通信サービスが、音声通信サービス、ビデオ通信サービス、テキスト通信サービス、マルチメディア通信サービス、及び機械通信サービスから成る通信サービスの群から選択されることを含むことができる。
【０２１８】
[0217]実施例４１において、実施例２５〜４０のいずれか１つの主題は、任意選択で、無線通信デバイスが無線通信端末デバイスとして構成されることを含むことができる。
【０２１９】
[0218]実施例４２は、複数のデータユニットを処理する方法である。本方法は、コアネットワークから複数のデータユニットを受信することを含むことができる。各データユニットは選択インジケータを含む。本方法は、選択インジケータ及び記憶された１つ又は複数の選択規則の組を用いて、複数のデータユニットのうちのデータユニットごとに、複数の無線タイプから、データユニットを送信するための１つ又は複数の無線タイプを選択することをさらに含むことができる。各選択規則は、少なくとも選択インジケータに基づいて１つ又は複数の無線タイプを選択するための規則を含む。
【０２２０】
[0219]実施例４３において、実施例４２の主題は、任意選択で、本方法が選択された無線タイプに従ってデータユニットを送信することをさらに含むことを含むことができる。
【０２２１】
[0220]実施例４４において、実施例４３の主題は、任意選択で、送信することがダウンリンク通信方向においてデータユニットを送信することを含むことを含むことができる。
【０２２２】
[0221]実施例４５において、実施例４２〜４４のいずれか１つの主題は、任意選択で、本方法が１つ又は複数の選択規則の組を記憶することをさらに含むことを含むことができる。
【０２２３】
[0222]実施例４６において、実施例４２〜４５のいずれか１つの主題は、任意選択で、選択することがベースバンドモデムにおいて実行されることを含むことができる。
【０２２４】
[0223]実施例４７において、実施例４２〜４６のいずれか１つの主題は、任意選択で、本方法がコアネットワークから規則の組の少なくとも一部分を受信することをさらに含むことを含むことができる。
【０２２５】
[0224]実施例４８において、実施例４７の主題は、任意選択で、本方法が規則の組の少なくとも一部分を記憶することをさらに含むことを含むことができる。
【０２２６】
[0225]実施例４９において、実施例４３〜４８のいずれか１つの主題は、任意選択で、本方法が規則の組の少なくとも一部分を無線通信デバイスに送信することをさらに含むことを含むことができる。
【０２２７】
[0226]実施例５０において、実施例４２〜４９のいずれか１つの主題は、任意選択で、本方法が、選択規則を、アクセス層シグナリングにおいて搬送することができるフォーマットに変換し、フォーマット変換された選択規則を、アクセス層シグナリングにて送信することをさらに含むことを含むことができる。
【０２２８】
[0227]実施例５１において、実施例４２〜４９のいずれか１つの主題は、任意選択で、本方法が、選択規則を透過的に（transparently）通し、これらの選択規則を、非アクセス層シグナリングにて送信することをさらに含むことを含むことができる。
【０２２９】
[0228]実施例５２において、実施例４２〜５１のいずれか１つの主題は、任意選択で、複数の無線タイプのうちの第１の無線タイプが、Long  Term  Evolutionに従う無線通信を含むことを含むことができる。
【０２３０】
[0229]実施例５３において、実施例４２〜５２のいずれか１つの主題は、任意選択で、複数の無線タイプのうちの第２の無線タイプが、５Ｇ  Ｎｅｗ  Ｒａｄｉｏに従う無線通信を含むことを含むことができる。
【０２３１】
[0230]実施例５４において、実施例４２〜５３のいずれか１つの主題は、任意選択で、規則の組が、１つ又は複数の許可された無線アクセスタイプ、１つ又は複数の好ましい無線アクセスタイプ、及び１つ又は複数の拒否された無線アクセスタイプから成る要素群の少なくとも１つの要素を含むことを含むことができる。
【０２３２】
[0231]実施例５５において、実施例４２〜５４のいずれか１つの主題は、任意選択で、本方法がコアネットワークに対する論理接続を提供することをさらに含むことを含むことができる。論理接続は、無線通信端末デバイスに対する、複数の無線接続、すなわち、複数の無線タイプのうちの第１の無線タイプに従う第１の無線接続、及び複数の無線タイプのうちの第２の無線タイプに従う第２の無線接続を含む。
【０２３３】
[0232]実施例５６において、実施例４２〜５５のいずれか１つの主題は、任意選択で、同じ通信サービスのデータユニットが同じ選択インジケータを含むことを含むことができる。
【０２３４】
[0233]実施例５７において、実施例４２〜５６のいずれか１つの主題は、任意選択で、共通通信フローのデータユニットが同じ選択インジケータを含むことを含むことができる。
【０２３５】
[0234]実施例５８において、実施例５７の主題は、任意選択で、通信フローがエンドツーエンド通信フローであることを含むことができる。
【０２３６】
[0235]実施例５９において、実施例５８の主題は、任意選択で、通信フローがインターネットプロトコル通信フローであることを含むことができる。
【０２３７】
[0236]実施例６０において、実施例５９の主題は、任意選択で、共通インターネットプロトコル通信フローのデータユニットがインターネットプロトコルデータパケットであることを含むことができる。
【０２３８】
[0237]実施例６１において、実施例４２〜６０のいずれか１つの主題は、任意選択で、選択することがＰＤＣＰ層において実行されることを含むことができる。
【０２３９】
[0238]実施例６２において、実施例４２〜６１のいずれか１つの主題は、任意選択で、複数の無線タイプのうちの第１の無線タイプ及び複数の無線タイプのうちの第２の無線タイプが１つ又は複数の無線ベアラを提供することを含むことができる。
【０２４０】
[0239]実施例６３において、実施例６２の主題は、任意選択で、複数の無線タイプのうちの第１の無線タイプ及び複数の無線タイプのうちの第２の無線タイプが、１つ又は複数の分割無線ベアラを提供することを含むことができる。
【０２４１】
[0240]実施例６４において、実施例４２〜６３のいずれか１つの主題は、任意選択で、通信サービスが、音声通信サービス、ビデオ通信サービス、テキスト通信サービス、マルチメディア通信サービス、及び機械通信サービスから成る通信サービスの群から選択されることを含むことができる。
【０２４２】
[0241]実施例６５は、複数のデータユニットを処理する方法である。本方法は、第１の無線タイプ及び／又は第２の無線タイプに従って１つ又は複数の第１のデータユニットを受信することを含むことができる。各第１のデータユニットは選択インジケータを含む。本方法は、１つ又は複数の第２のデータユニットを生成することをさらに含むことができる。１つ又は複数の第１のデータユニット及び１つ又は複数の第２のデータユニットは同じ通信フローに属する。本方法は、選択インジケータ及び記憶された１つ又は複数の選択規則の組を用いて、１つ又は複数の第２のデータユニットのうちの第２のデータユニットごとに、１つ又は複数の第２のデータユニットを送信するための無線タイプを選択することをさらに含むことができる。各選択規則は、少なくとも選択インジケータに基づいて１つ又は複数の無線タイプを選択するための規則を含む。
【０２４３】
[0242]実施例６６において、実施例６５の主題は、任意選択で、送信することがアップリンク通信方向において１つ又は複数の第２のデータユニットを送信することを含むことを含むことができる。
【０２４４】
[0243]実施例６７において、実施例６５又は６６の主題は、任意選択で、本方法が１つ又は複数の選択規則の組を記憶することをさらに含むことを含むことができる。
【０２４５】
[0244]実施例６８において、実施例６５〜５７のいずれか１つの主題は、任意選択で、選択することがベースバンドモデムにおいて実行されることを含むことができる。
【０２４６】
[0245]実施例６９において、実施例６５〜６８のいずれか１つの主題は、任意選択で、本方法が規則の組の少なくとも一部分を受信することをさらに含むことを含むことができる。
【０２４７】
[0246]実施例７０において、実施例６９の主題は、任意選択で、本方法が規則の組の少なくとも一部分をメモリに記憶することをさらに含むことを含むことができる。
【０２４８】
[0247]実施例７１において、実施例６５〜７０のいずれか１つの主題は、任意選択で、複数の無線タイプのうちの第１の無線タイプがLong  Term  Evolutionに従う無線通信を含むことを含むことができる。
【０２４９】
[0248]実施例７２において、実施例６５〜７１のいずれか１つの主題は、任意選択で、複数の無線タイプのうちの第２の無線タイプが、５Ｇ  Ｎｅｗ  Ｒａｄｉｏに従う無線通信を含むことを含むことができる。
【０２５０】
[0249]実施例７３において、実施例６５〜７２のいずれか１つの主題は、任意選択で、規則の組が、１つ又は複数の許可された無線アクセスタイプ、１つ又は複数の好ましい無線アクセスタイプ、及び１つ又は複数の拒否された無線アクセスタイプから成る要素群の少なくとも１つの要素を含むことを含むことができる。
【０２５１】
[0250]実施例７４において、実施例６５〜７３のいずれか１つの主題は、任意選択で、同じ通信サービスの第２のデータユニットが同じ選択インジケータを含むことを含むことができる。
【０２５２】
[0251]実施例７５において、実施例６５〜７４のいずれか１つの主題は、任意選択で、通信フローがエンドツーエンド通信フローであることを含むことができる。
【０２５３】
[0252]実施例７６において、実施例７５の主題は、任意選択で、エンドツーエンド通信フローがインターネットプロトコル通信フローであることを含むことができる。
【０２５４】
[0253]実施例７７において、実施例７６の主題は、任意選択で、１つ又は複数の第１のデータユニット及び／又は１つ又は複数の第２のデータユニットがインターネットプロトコルデータパケットであることを含むことができる。
【０２５５】
[0254]実施例７８において、実施例６５〜７７のいずれか１つの主題は、任意選択で、選択することがＰＤＣＰ層で行われることを含むことができる。
【０２５６】
[0255]実施例７９において、実施例７４〜７８のいずれか１つの主題は、任意選択で、通信サービスが、音声通信サービス、ビデオ通信サービス、テキスト通信サービス、マルチメディア通信サービス、及び機械通信サービスから成る通信サービスの群から選択されることを含むことができる。
【０２５７】
[0256]実施例８０において、実施例６５〜７９のいずれか１つの主題は、任意選択で、本方法が無線通信端末デバイスにおいて実行されることを含むことができる。
【０２５８】
[0257]本発明は、特定の実施形態を参照して特に示され、説明されてきたが、当業者であれば、添付の特許請求の範囲によって定義される本発明の趣旨及び範囲から逸脱することなく、形式及び詳細における様々な変更を行うことができることが理解されるべきである。このため、本発明の範囲は、添付の特許請求の範囲によって示され、したがって、特許請求の範囲の意味及び均等範囲に入る全ての変更が包含されるように意図される。
【図１】
0006437132.tif 000006
【図２】
0006437132.tif 000007
【図３】
0006437132.tif 000008
【図４】
0006437132.tif 000009
【図５】
0006437132.tif 000010
【図６】
0006437132.tif 000011
【図７】
0006437132.tif 000012